(57)【要約】【課題】本発明は、データ伝送のための方法及び装置を開示する。【解決手段】当該方法では、１個の時間ユニットにおいてＤＬ領域を割り当て、前記１個の時間ユニットに少なくとも２個のＤＬ領域が含まれ、構成シグナリングにより割り当てられたＤＬ領域を端末に通知する。端末構成シグナリングを受信し、前記構成シグナリングに従って１個の時間ユニットにおいて割り当てられたＤＬ領域を決定する。本発明によれば、１個の時間ユニットで少なくとも２個のＤＬ検出領域を定義し、端末は各検出領域においてダウンリンク伝送を検出し、検出される場合、前記ダウンリンク領域に対応するアップリンク領域においてＡＣＫ／ＮＡＣＫフィードバックを行う。１個の時間ユニットを複数のダウンリンク領域に分割することができ、各ダウンリンク領域がそれぞれフィードバック及びスケジューリング関係を定義することができ、したがってスケジューリングの柔軟性及びシステムリソースの利用率を向上させることができる。【選択図】図２
2019533352.tif 000002
【特許請求の範囲】
【請求項１】
少なくとも２個のＤＬ領域が含まれる１個の時間ユニットにおいてダウンリンクＤＬ領域を割り当てるステップと、
構成シグナリングにより割り当てられたＤＬ領域を端末に通知するステップとを備えることを特徴とするデータ伝送のための方法。
【請求項２】
前記構成シグナリングにより割り当てられたＤＬ領域を端末に通知する場合、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知することを特徴とする請求項１に記載のデータ伝送のための方法。
【請求項３】
前記構成シグナリングにより１個の時間ユニット内のアップリンクＵＬ領域及び/またはガード期間（ＧＰ）領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知することを特徴とする請求項１に記載のデータ伝送のための方法。
【請求項４】
１個の時間ユニット内のＵＬ領域は、アップリンクスケジューリングシグナリングに従って決定され、またはダウンリンク伝送のＡＣＫ／ＮＡＣＫがフィードバックされる位置に従って決定されることを特徴とする請求項１に記載のデータ伝送のための方法。
【請求項５】
前記構成シグナリングは、高位層シグナリングまたは物理ダウンリンク制御シグナリングにより通知され、前記構成シグナリングは、ユニキャストまたはブロードキャストまたはグループキャスト形式で通知されることを特徴とする請求項１ないし請求項４のいずれか１項に記載のデータ伝送のための方法。
【請求項６】
１個の時間ユニット内の少なくとも１個のＤＬ領域において、前記端末にダウンリンク制御チャネルを送信することを特徴とする請求項１ないし請求項４のいずれか１項に記載のデータ伝送のための方法。
【請求項７】
１個の時間ユニット内の少なくとも１個のＤＬ領域において、前記端末にダウンリンク制御チャネルを送信する前に、
１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信することを特徴とする請求項６に記載のデータ伝送のための方法。
【請求項８】
前記ダウンリンク制御チャネルにダウンリンクダウンリンク制御情報（ＤＣＩ）フォーマットが利用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信することを特徴とする請求項６または請求項７に記載のデータ伝送のための方法。
【請求項９】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、各ＤＬ領域は、１つ以上の定義または構成されたＵＬ領域に対応することを特徴とする請求項８に記載のデータ伝送のための方法。
【請求項１０】
前記１個の時間ユニットは、１つ以上のスロットであるか、または、１つ以上のサブフレームであることを特徴とする請求項１ないし請求項９のいずれか１項に記載のデータ伝送のための方法。
【請求項１１】
構成シグナリングを受信するステップと、
前記構成シグナリングに従って１個の時間ユニットにおいて割り当てられたＤＬ領域を決定するステップと
を備え、
前記１個の時間ユニットに少なくとも２個のＤＬ領域が含まれることを特徴とするデータ伝送のための方法。
【請求項１２】
前記構成シグナリングに従って１個の時間ユニットにおいて割り当てられたＤＬ領域を決定する場合、
前記構成シグナリングにより、１個の時間ユニット内のＤＬ領域の長さ及び位置を通知し、または、
前記構成シグナリングにより、複数の所定のパターンのうちの１つを通知し、各パターンに１個の時間ユニット内のＤＬ領域の長さ及び位置の割り当てが含まれ、または、
前記構成シグナリングにより、１個の時間ユニット内のＤＬ領域の開始位置または終了位置を通知することを特徴とする請求項１１に記載のデータ伝送のための方法。
【請求項１３】
前記構成シグナリングに従って、１個の時間ユニットにおいて割り当てられたＤＬ領域を決定する場合、
前記構成シグナリングに従って１個の時間ユニット内のＵＬ領域及び/またはＧＰ領域を決定し、
前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、
前記構成シグナリングにより、１個の時間ユニット内のＵＬ領域の開始または終了位置を通知し、または、 
構成シグナリングにより通知された指示情報は、前記端末に、事前に定義した規則で前記指示情報に従って、１個の時間ユニット内のＵＬ領域を決定させるようにすることを特徴とする請求項１１に記載のデータ伝送のための方法。
【請求項１４】
前記端末アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定することを特徴とする請求項１１に記載のデータ伝送のための方法。
【請求項１５】
前記構成シグナリングは、高位層シグナリングまたは物理ダウンリンク制御シグナリングにより通知され、前記構成シグナリングは、ユニキャストまたはブロードキャストまたはグループキャスト形式で通知されることを特徴とする請求項１１ないし請求項１４のいずれか１項に記載のデータ伝送のための方法。
【請求項１６】
１個の時間ユニット内の各ＤＬ領域または各検出ＤＬ領域において、ダウンリンク制御チャネルを検出することを特徴とする請求項１１ないし請求項１４のいずれか１項に記載のデータ伝送のための方法。
【請求項１７】
１個の時間ユニット内の各検出ＤＬ領域においてダウンリンク制御チャネルを検出する前に、
構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域であることを特徴とする請求項１６に記載のデータ伝送のための方法。
【請求項１８】
前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信することを特徴とする請求項１６または請求項１７に記載のデータ伝送のための方法。
【請求項１９】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応することを特徴とする請求項１８に記載のデータ伝送のための方法。
【請求項２０】
前記１個の時間ユニットは、１つ以上のスロットであるか、または、１つ以上のサブフレームであることを特徴とする請求項１１ないし請求項１９のいずれか１項に記載のデータ伝送のための方法。
【請求項２１】
少なくとも２個のＤＬ領域が含まれる１個の時間ユニットにおいてＤＬ領域を割り当てるように構成される、割り当てモジュールと、
構成シグナリングにより割り当てられたＤＬ領域を端末に通知するように構成される、通知モジュールとを備えることを特徴とするデータ伝送のための装置。
【請求項２２】
前記通知モジュールは、前記構成シグナリングにより割り当てられたＤＬ領域を端末に通知する場合、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知することを特徴とする請求項２１に記載のデータ伝送のための装置。
【請求項２３】
前記通知モジュールは、前記構成シグナリングにより、１個の時間ユニット内のＵＬ領域及び/またはＧＰ領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知することを特徴とする請求項２１に記載のデータ伝送のための装置。
【請求項２４】
１個の時間ユニット内のＵＬ領域は、アップリンクスケジューリングシグナリングに従って決定され、またはダウンリンク伝送のＡＣＫ／ＮＡＣＫがフィードバックされる位置に従って決定されることを特徴とする請求項２１に記載のデータ伝送のための装置。
【請求項２５】
前記通知モジュールは、高位層シグナリングまたは物理ダウンリンク制御シグナリングにより、前記構成シグナリングを送信し、ユニキャストまたはブロードキャストまたはグループキャスト形式で前記構成シグナリングを送信することを特徴とする請求項２１ないし請求項２４のいずれか１項に記載のデータ伝送のための装置。
【請求項２６】
１個の時間ユニット内の少なくとも１個のＤＬ領域において、前記端末にダウンリンク制御チャネルを送信するように構成される、伝送モジュールをさらに備えることを特徴とする請求項２１ないし請求項２４のいずれか１項に記載のデータ伝送のための装置。
【請求項２７】
前記伝送モジュールは、１個の時間ユニット内の少なくとも１個のＤＬ領域において、前記端末にダウンリンク制御チャネルを送信する前に、
１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信することを特徴とする請求項２６に記載のデータ伝送のための装置。
【請求項２８】
前記伝送モジュールは、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信することを特徴とする請求項２６または請求項２７に記載のデータ伝送のための装置。
【請求項２９】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応することを特徴とする請求項２８に記載のデータ伝送のための装置。
【請求項３０】
前記１個の時間ユニットは、１つ以上のスロットであるか、または、１つ以上のサブフレームであることを特徴とする請求項２１ないし請求項２９のいずれか１項に記載のデータ伝送のための装置。
【請求項３１】
構成シグナリングを受信するように構成される受信モジュールと、
前記構成シグナリングに従って１個の時間ユニットにおいて割り当てられたＤＬ領域を決定するように構成される、決定モジュールと
を備え、
前記１個の時間ユニットに少なくとも２個のＤＬ領域が含まれることを特徴とするデータ伝送のための装置。
【請求項３２】
前記決定モジュールは、前記構成シグナリングに従って、１個の時間ユニットにおいて割り当てられたＤＬ領域を決定する場合、
前記構成シグナリングにより、１個の時間ユニット内のＤＬ領域の長さ及び位置を決定し、または、
前記構成シグナリング通知複数の所定のパターンのうちの１つを決定し、各パターンに１個の時間ユニット内のＤＬ領域の長さ及び位置の割り当てが含まれ、または、
前記構成シグナリングにより、１個の時間ユニット内のＤＬ領域の開始位置または終了位置を決定することを特徴とする請求項３１に記載のデータ伝送のための装置。
【請求項３３】
前記決定モジュールは、
構成シグナリングに従って、１個の時間ユニット内のＵＬ領域及び/またはＧＰ領域を決定し、
前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、
前記構成シグナリングにより１個の時間ユニット内のＵＬ領域の開始または終了位置を通知し、または、
構成シグナリングにより通知された指示情報は、前記端末に、事前に定義した規則で前記指示情報に従って、１個の時間ユニット内のＵＬ領域を決定させるようにすることを特徴とする請求項３１に記載のデータ伝送のための装置。
【請求項３４】
前記決定モジュールは、
アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定することを特徴とする請求項３１に記載のデータ伝送のための装置。
【請求項３５】
受信モジュールは、高位層シグナリングまたは物理ダウンリンク制御シグナリングにより通知された前記構成シグナリングを受信し、ユニキャストまたはブロードキャストまたはグループキャスト形式で通知された前記構成シグナリングを受信することを特徴とする請求項３１ないし請求項３４のいずれか１項に記載のデータ伝送のための装置。
【請求項３６】
前記検出モジュールは、１個の時間ユニット内の各ＤＬ領域または各検出ＤＬ領域において、ダウンリンク制御チャネルを検出することを特徴とする請求項３１ないし請求項３４のいずれか１項に記載のデータ伝送のための装置。
【請求項３７】
前記検出モジュールは、１個の時間ユニット内の各検出ＤＬ領域においてダウンリンク制御チャネルを検出する前に、
構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域であることを特徴とする請求項３６または請求項３７に記載のデータ伝送のための装置。
【請求項３８】
検出モジュールは、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信することを特徴とする請求項３６または請求項３７に記載のデータ伝送のための装置。
【請求項３９】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応することを特徴とする請求項３８に記載のデータ伝送のための装置。
【請求項４０】
前記１個の時間ユニットは、１つ以上のスロットであるか、または、１つ以上のサブフレームであることを特徴とする請求項３１ないし請求項３９のいずれか１項に記載のデータ伝送のための装置。
【請求項４１】
プロセッサと、メモリと、プロセッサの制御下でデータを送受信するように構成される送受信機とを備え、
前記プロセッサは、メモリに格納されたプログラムを読み出し、
１個の時間ユニットにおいてＤＬ領域を割り当て、送受信機を介して構成シグナリングにより割り当てられたＤＬ領域を端末に通知し、前記１個の時間ユニットに少なくとも２個のＤＬ領域が含まれることを特徴とするデータ伝送のための装置。
【請求項４２】
前記プロセッサは、前記構成シグナリングにより割り当てられたＤＬ領域を端末に通知する場合、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知することを特徴とする請求項４１に記載のデータ伝送のための装置。
【請求項４３】
前記プロセッサは、前記構成シグナリングにより、１個の時間ユニット内のＵＬ領域及び/またはＧＰ領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知することを特徴とする請求項４１に記載のデータ伝送のための装置。
【請求項４４】
１個の時間ユニット内のＵＬ領域は、アップリンクスケジューリングシグナリングに従って決定され、またはダウンリンク伝送のＡＣＫ／ＮＡＣＫがフィードバックされる位置に従って決定されることを特徴とする請求項４１に記載のデータ伝送のための装置。
【請求項４５】
前記プロセッサは、高位層シグナリングまたは物理ダウンリンク制御シグナリングにより、前記構成シグナリングを送信し、ユニキャストまたはブロードキャストまたはグループキャスト形式で前記構成シグナリングを送信することを特徴とする請求項４１ないし請求項４４のいずれか１項に記載のデータ伝送のための装置。
【請求項４６】
前記プロセッサは、１個の時間ユニット内の少なくとも１個のＤＬ領域において、前記端末にダウンリンク制御チャネルを送信することを特徴とする請求項４１ないし請求項４４のいずれか１項に記載のデータ伝送のための装置。
【請求項４７】
前記プロセッサは、１個の時間ユニット内の少なくとも１個のＤＬ領域において、前記端末にダウンリンク制御チャネルを送信する前に、
１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信することを特徴とする請求項４６に記載のデータ伝送のための装置。
【請求項４８】
前記プロセッサは、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信することを特徴とする請求項４６または請求項４７に記載のデータ伝送のための装置。
【請求項４９】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応することを特徴とする請求項４８に記載のデータ伝送のための装置。
【請求項５０】
前記１個の時間ユニットは、１つ以上のスロットであるか、または、１つ以上のサブフレームであることを特徴とする請求項４１ないし請求項４９のいずれか１項に記載のデータ伝送のための装置。
【請求項５１】
プロセッサと、メモリと、プロセッサの制御下でデータを送受信するように構成される送受信機とを備え、
前記プロセッサは、メモリに格納されたプログラムを読み出し、
送受信機を介して構成シグナリングを受信し、構成シグナリングに従って、１個の時間ユニットにおいて割り当てられたＤＬ領域を決定し、前記１個の時間ユニットに少なくとも２個のＤＬ領域が含まれることを特徴とするデータ伝送のための装置。
【請求項５２】
前記プロセッサが、前記構成シグナリングに従って、１個の時間ユニットにおいて割り当てられたＤＬ領域を決定する場合、
前記構成シグナリングにより、１個の時間ユニット内のＤＬ領域の長さ及び位置を決定し、または、
前記構成シグナリング通知複数の所定のパターンのうちの１つを決定し、各パターンに１個の時間ユニット内のＤＬ領域の長さ及び位置の割り当てが含まれ、または、
前記構成シグナリングにより１個の時間ユニット内のＤＬ領域の開始位置または終了位置を決定することを特徴とする請求項５１に記載のデータ伝送のための装置。
【請求項５３】
前記プロセッサは、
構成シグナリングに従って、１個の時間ユニット内のＵＬ領域及び/またはＧＰ領域を決定する
前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、 
前記構成シグナリングにより１個の時間ユニット内のＵＬ領域の開始または終了位置を通知し、または、
構成シグナリングにより通知された指示情報は、前記端末に、事前に定義した規則で前記指示情報に従って、１個の時間ユニット内のＵＬ領域を決定させるようにすることを特徴とする請求項５１に記載のデータ伝送のための装置。
【請求項５４】
前記プロセッサは、
アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定することを特徴とする請求項５１に記載のデータ伝送のための装置。
【請求項５５】
前記プロセッサは、高位層シグナリングまたは物理ダウンリンク制御シグナリングにより通知された前記構成シグナリングを受信し、ユニキャストまたはブロードキャストまたはグループキャスト形式で通知された前記構成シグナリングを受信することを特徴とする請求項５１ないし請求項５４のいずれか１項に記載のデータ伝送のための装置。
【請求項５６】
前記プロセッサは、
１個の時間ユニットＤＬ領域または各検出ＤＬ領域において、ダウンリンク制御チャネルを検出することを特徴とする請求項５１ないし請求項５４のいずれか１項に記載のデータ伝送のための装置。
【請求項５７】
前記プロセッサは、１個の時間ユニット内の各検出ＤＬ領域においてダウンリンク制御チャネルを検出する前に、
構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域であることを特徴とする請求項５６に記載のデータ伝送のための装置。
【請求項５８】
前記プロセッサは、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信することを特徴とする請求項５６または請求項５７に記載のデータ伝送のための装置。
【請求項５９】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応することを特徴とする請求項５８に記載のデータ伝送のための装置。
【請求項６０】
前記１個の時間ユニットは、１つ以上のスロットであるか、または、１つ以上のサブフレームであることを特徴とする請求項５１ないし請求項５９のいずれか１項に記載のデータ伝送のための装置。
【発明の詳細な説明】
【技術分野】
【０００１】
本発明は、無線通信技術分野に関し、特にデータ伝送のための方法及び装置に関する。
【背景技術】
【０００２】
以下のフレーム構造は、既存のロングタームエボリューション（Long Term Evolution，ＬＴＥ）システムにおける時分割複信（Time Division Duplex，ＴＤＤ）モードに対して定義されている。
【０００３】
各１０ｍｓ無線フレームは、２つの５ｍｓハーフフレームを含み、各ハーフフレームは、１ｍｓの長さを有する５つのサブフレームを含む。ＦＳ２（frame structure type 2）内のサブフレームは、ダウンリンクサブフレーム、アップリンクサブフレーム、及び特殊サブフレームに分類され、各特殊サブフレームは、ダウンリンクパイロットタイムスロット（Downlink Pilot Time Slot，ＤｗＰＴＳ）、ガード期間（Guard Period，ＧＰ）、及びアップリンクパイロットタイムスロット（Uplink Pilot Time Slot，ＵｐＰＴＳ）により構成される。各ハーフフレームは、少なくとも１つのダウンリンクサブフレーム、少なくとも１つのアップリンクサブフレーム、及び最大で１つの特殊サブフレームを含む。表１に示される７種のＴＤＤ  ＵＬ/ＤＬ構成、及び表２に示される１０種の特別なサブフレーム構造が、異なるダウンリンクからアップリンクへのスイッチング周期及びＵＬ/ＤＬ割り当て比率に対して定義される。
【０００４】
【表１】
2019533352.tif 000003
【０００５】
【表２】
2019533352.tif 000004
【０００６】
ＬＴＥシステムでは、上記のＴＤＤフレーム構造を定義することによってＵＬ/ＤＬリソースが割り当てられるので、ＬＴＥセルの場合、１つのＴＤＤフレーム構造しか構成できず、ＵＬ/ＤＬリソースの固定割り当てのみがサポートされる。セル内でブロードキャストされたシステム情報を介して割り当てが通知されるので、割り当ては固定され、セル内のすべてのＵＥ間で共有される。
【０００７】
さらに、ＬＴＥシステムでは、アップリンクリソースとダウンリンクリソースとの間にＧＰを構成することにより、同一セル内でのアップリンクとダウンリンクとの干渉を回避し、ダウンリンクからアップリンクに切り替えることができる。ＧＰは、各ＴＤＤのＵＬ/ＤＬ構成内の特殊サブフレームにのみ存在し、ＧＰの長さは特殊サブフレーム構成によって決定される。特殊サブフレーム構成は、特殊サブフレーム内のダウンリンクリソース（ＤｗＰＴＳ部分）、アップリンクリソース（ＵｐＰＴＳ部分）及びＧＰ部分の長さの割り当てに対応する。特殊サブフレーム構成は、セル内でブロードキャストされるシステム情報を介してセル内でも通知されるので、セル内のすべてのＵＥ間で固定され共有される。
【０００８】
従来技術の欠点は、例えば、既存の５Ｇシステムにおいて、動的に割り当てられたＵＬ/ＤＬリソースを介してデータを送信するための解決策がこれまで存在しなかったことにある。
【発明の概要】
【発明が解決しようとする課題】
【０００９】
本発明に係る実施例は、データ伝送のための方法及び装置を提供し、データ送信のためにＵＬ/ＤＬリソースを動的に割り当てることができる解決策を提供する。
【課題を解決するための手段】
【００１０】
本発明の実施例に係るデータ伝送のための方法は、
少なくとも２個のＤＬ領域が含まれる１個の時間ユニットにおいてＤＬ領域を割り当てるステップと、
構成シグナリングにより割り当てられたＤＬ領域を端末に通知するステップとを備える。
【００１１】
選択的に、前記構成シグナリングにより割り当てられたＤＬ領域を端末に通知する場合、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知する。
【００１２】
選択的に、前記構成シグナリングにより１個の時間ユニット内のＵＬ領域及び/またはＧＰ領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知する。
【００１３】
選択的に、１個の時間ユニット内のＵＬ領域は、アップリンクスケジューリングシグナリングに従って決定され、またはダウンリンク伝送のＡＣＫ／ＮＡＣＫがフィードバックされる位置に従って決定される。
【００１４】
選択的に、前記構成シグナリングは、高位層シグナリングまたは物理ダウンリンク制御シグナリングにより通知され、前記構成シグナリングは、ユニキャストまたはブロードキャストまたはグループキャスト形式で通知される。
【００１５】
選択的に、１個の時間ユニット内の少なくとも１個のＤＬ領域において、前記端末にダウンリンク制御チャネルを送信する。
【００１６】
選択的に、１個の時間ユニット内の少なくとも１個のＤＬ領域において、前記端末にダウンリンク制御チャネルを送信する前に、
１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信する。
【００１７】
選択的に、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信する。
【００１８】
選択的に、以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、各ＤＬ領域は、１つ以上の定義または構成されたＵＬ領域に対応する。
【００１９】
選択的に、前記１個の時間ユニットは、１つ以上のスロットであるか、または、１つ以上のサブフレームである。
【００２０】
本発明の実施例に係るデータ伝送のための方法は、
構成シグナリングを受信するステップと、
前記構成シグナリングに従って１個の時間ユニットにおいて割り当てられたＤＬ領域を決定するステップとを備え、前記１個の時間ユニットに少なくとも２個のＤＬ領域が含まれる。
【００２１】
選択的に、前記構成シグナリングに従って１個の時間ユニットにおいて割り当てられたＤＬ領域を決定する場合、
前記構成シグナリングにより１個の時間ユニット内のＤＬ領域の長さ及び位置を通知し、または、
前記構成シグナリングにより、複数の所定のパターンのうちの１つを通知し、各パターンに１個の時間ユニット内のＤＬ領域の長さ及び位置の割り当てが含まれ、または、
前記構成シグナリングにより１個の時間ユニット内のＤＬ領域の開始位置または終了位置を通知する。
【００２２】
選択的に、前記構成シグナリングに従って、１個の時間ユニットにおいて割り当てられたＤＬ領域を決定する場合、
前記構成シグナリングに従って１個の時間ユニット内のＵＬ領域及び/またはＧＰ領域を決定し、
前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、
前記構成シグナリングにより１個の時間ユニット内のＵＬ領域の開始または終了位置を通知し、または、 
構成シグナリングにより通知された指示情報は、前記端末に、事前に定義した規則で前記指示情報に従って、１個の時間ユニット内のＵＬ領域を決定させるようにする。
【００２３】
選択的に、前記端末アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定する。
【００２４】
選択的に、前記構成シグナリングは、高位層シグナリングまたは物理ダウンリンク制御シグナリングにより通知され、前記構成シグナリングは、ユニキャストまたはブロードキャストまたはグループキャスト形式で通知される。
【００２５】
選択的に、１個の時間ユニット内の各ＤＬ領域または各検出ＤＬ領域において、ダウンリンク制御チャネルを検出する。
【００２６】
選択的に、１個の時間ユニット内の各検出ＤＬ領域においてダウンリンク制御チャネルを検出する前に、構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域である。
【００２７】
選択的に、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信する。
【００２８】
選択的に、以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。 
【００２９】
選択的に、前記１個の時間ユニットは、１つ以上のスロットであるか、または、１つ以上のサブフレームである。
【００３０】
本発明の実施例に係るデータ伝送のための装置は、
少なくとも２個のＤＬ領域が含まれる１個の時間ユニットにおいてＤＬ領域を割り当てるように構成される、割り当てモジュールと、
構成シグナリングにより割り当てられたＤＬ領域を端末に通知するように構成される、通知モジュールとを備える。
【００３１】
選択的に、通知モジュールは、前記構成シグナリングにより割り当てられたＤＬ領域を端末に通知する場合、端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知する。
【００３２】
選択的に、通知モジュールは、前記構成シグナリングにより、１個の時間ユニット内のＵＬ領域及び/またはＧＰ領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知する。
【００３３】
選択的に、１個の時間ユニット内のＵＬ領域は、アップリンクスケジューリングシグナリングに従って決定され、またはダウンリンク伝送のＡＣＫ／ＮＡＣＫがフィードバックされる位置に従って決定される。
【００３４】
選択的に、通知モジュールは、さらに、高位層シグナリングまたは物理ダウンリンク制御シグナリングにより、前記構成シグナリングを送信し、ユニキャストまたはブロードキャストまたはグループキャスト形式で前記構成シグナリングを送信する。
【００３５】
選択的に、１個の時間ユニット内の少なくとも１個のＤＬ領域において、前記端末にダウンリンク制御チャネルを送信するように構成される、伝送モジュールをさらに備える。
【００３６】
選択的に、伝送モジュールは、１個の時間ユニット内の少なくとも１個のＤＬ領域において、前記端末にダウンリンク制御チャネルを送信する前に、１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信する。
【００３７】
選択的に、伝送モジュールは、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信する。
【００３８】
選択的に、以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。
【００３９】
選択的に、前記１個の時間ユニットは、１つ以上のスロットであるか、または、１つ以上のサブフレームである。
【００４０】
本発明の実施例に係るデータ伝送のための装置は、
構成シグナリングを受信するように構成される受信モジュールと、
前記構成シグナリングに従って１個の時間ユニットにおいて割り当てられたＤＬ領域を決定するように構成される、決定モジュールとを備え、前記１個の時間ユニットに少なくとも２個のＤＬ領域が含まれる。
【００４１】
選択的に、決定モジュールは、前記構成シグナリングに従って、１個の時間ユニットにおいて割り当てられたＤＬ領域を決定する場合、
前記構成シグナリングにより、１個の時間ユニット内のＤＬ領域の長さ及び位置を決定し、または、
前記構成シグナリングにより、複数の所定のパターンのうちの１つを決定し、各パターンに１個の時間ユニット内のＤＬ領域の長さ及び位置の割り当てが含まれ、または、
前記構成シグナリングにより、１個の時間ユニット内のＤＬ領域の開始位置または終了位置を決定する。
【００４２】
選択的に、決定モジュールは、
構成シグナリングに従って、１個の時間ユニット内のＵＬ領域及び/またはＧＰ領域を決定し、
前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、 
前記構成シグナリングにより、１個の時間ユニット内のＵＬ領域の開始または終了位置を通知し、または、
構成シグナリングにより通知された指示情報は、前記端末に、事前に定義した規則で前記指示情報に従って、１個の時間ユニット内のＵＬ領域を決定させるようにする。
【００４３】
選択的に、前記決定モジュールは、
アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定する。
【００４４】
選択的に、受信モジュールは、高位層シグナリングまたは物理ダウンリンク制御シグナリングにより通知された前記構成シグナリングを受信し、ユニキャストまたはブロードキャストまたはグループキャスト形式で通知された前記構成シグナリングを受信する。
【００４５】
選択的に、検出モジュールは、１個の時間ユニット内の各ＤＬ領域または各検出ＤＬ領域において、ダウンリンク制御チャネルを検出する。
【００４６】
選択的に、検出モジュールは、１個の時間ユニット内の各検出ＤＬ領域においてダウンリンク制御チャネルを検出する前に、
構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域である。
【００４７】
選択的に、検出モジュールは、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信する。
【００４８】
選択的に、以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。 
【００４９】
選択的に、前記１個の時間ユニットは、１つ以上のスロットであるか、または、１つ以上のサブフレームである。
【００５０】
本発明の実施例に係るデータ伝送のための装置は、プロセッサと、メモリと、プロセッサの制御下でデータを送受信するように構成される送受信機とを備え、
前記プロセッサは、メモリに格納されたプログラムを読み出し、
１個の時間ユニットにおいてＤＬ領域を割り当て、送受信機を介して構成シグナリングにより割り当てられたＤＬ領域を端末に通知し、前記１個の時間ユニットに少なくとも２個のＤＬ領域が含まれる。
【００５１】
選択的に、前記プロセッサは、前記構成シグナリングにより割り当てられたＤＬ領域を端末に通知する場合、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知する。
【００５２】
選択的に、前記プロセッサは、前記構成シグナリングにより１個の時間ユニット内のＵＬ領域及び/またはＧＰ領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知する。
【００５３】
選択的に、１個の時間ユニット内のＵＬ領域は、アップリンクスケジューリングシグナリングに従って決定され、またはダウンリンク伝送のＡＣＫ／ＮＡＣＫがフィードバックされる位置に従って決定される。
【００５４】
選択的に、前記プロセッサは、高位層シグナリングまたは物理ダウンリンク制御シグナリングにより、前記構成シグナリングを送信し、ユニキャストまたはブロードキャストまたはグループキャスト形式で前記構成シグナリングを送信する。
【００５５】
選択的に、前記プロセッサは、
１個の時間ユニット内の少なくとも１個のＤＬ領域において、前記端末にダウンリンク制御チャネルを送信する。
【００５６】
選択的に、前記プロセッサは、１個の時間ユニット内の少なくとも１個のＤＬ領域において、前記端末にダウンリンク制御チャネルを送信する前に、１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信する。
【００５７】
選択的に、前記プロセッサは、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信する。
【００５８】
選択的に、以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。
【００５９】
選択的に、前記１個の時間ユニットは、１つ以上のスロットであるか、または、１つ以上のサブフレームである。
【００６０】
本発明の実施例に係るデータ伝送のための装置は、プロセッサと、メモリと、プロセッサの制御下でデータを送受信するように構成される送受信機とを備え、
前記プロセッサは、メモリに格納されたプログラムを読み出し、
送受信機を介して構成シグナリングを受信し、構成シグナリングに従って、１個の時間ユニットにおいて割り当てられたＤＬ領域を決定し、前記１個の時間ユニットに少なくとも２個のＤＬ領域が含まれる。
【００６１】
選択的に、前記プロセッサが、前記構成シグナリングに従って、１個の時間ユニットにおいて割り当てられたＤＬ領域を決定する場合、
前記構成シグナリングにより、１個の時間ユニット内のＤＬ領域の長さ及び位置を決定し、または、
前記構成シグナリングにより、通知複数の所定のパターンのうちの１つを決定し、各パターンに１個の時間ユニット内のＤＬ領域の長さ及び位置の割り当てが含まれ、または、
前記構成シグナリングにより、１個の時間ユニット内のＤＬ領域の開始位置または終了位置を決定する。
【００６２】
選択的に、前記プロセッサは、
構成シグナリングに従って、１個の時間ユニット内のＵＬ領域及び/またはＧＰ領域を決定し、
前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、 
前記構成シグナリングにより、１個の時間ユニット内のＵＬ領域の開始または終了位置を通知し、または、
構成シグナリングにより通知された指示情報は、前記端末に、事前に定義した規則で前記指示情報に従って、１個の時間ユニット内のＵＬ領域を決定させるようにする。
【００６３】
選択的に、前記プロセッサは、
アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定する。
【００６４】
選択的に、前記プロセッサは、高位層シグナリングまたは物理ダウンリンク制御シグナリングにより通知された前記構成シグナリングを受信し、ユニキャストまたはブロードキャストまたはグループキャスト形式で通知された前記構成シグナリングを受信する。
【００６５】
選択的に、前記プロセッサは、
１個の時間ユニット内の各ＤＬ領域または各検出ＤＬ領域において、ダウンリンク制御チャネルを検出する。
【００６６】
選択的に、前記プロセッサは、１個の時間ユニット内の各検出ＤＬ領域においてダウンリンク制御チャネルを検出する前に、
構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域である。
【００６７】
選択的に、前記プロセッサは、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信する。
【００６８】
選択的に、以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。 
【００６９】
選択的に、前記１個の時間ユニットは、１つ以上のスロットであるか、または、１つ以上のサブフレームである。
【発明の効果】
【００７０】
本発明の有益な効果は、以下とおりである。
【００７１】
本発明に係る実施例の技術的解決策によれば、１個の時間ユニットで少なくとも２個のＤＬ領域を定義し、端末は各ＤＬ領域または一部のＤＬ領域においてダウンリンク伝送を検出し、検出される場合、前記ダウンリンク領域に対応するアップリンク領域においてＡＣＫ／ＮＡＣＫフィードバックを行う。１個の時間ユニットを複数のダウンリンク領域に分割することができ、各ダウンリンク領域がそれぞれフィードバック及びスケジューリング関係を定義することができ、したがってスケジューリングの柔軟性及びシステムリソースの利用率を向上させることができる。
【図面の簡単な説明】
【００７２】
本発明に係る実施例や従来の技術方案をより明確に説明するために、以下に実施例を説明するために必要な図面をについて簡単に紹介する。無論、以下の説明における図面は、本発明に係る実施例の一部であり、当業者は、創造性作業を行わないことを前提として、これらの図面に基づいて他の図面を得ることができる。
【００７３】
【図１】背景技術のＬＴＥ ＴＤＤシステムに用いられるフレーム構造２を示す図である。
【図２】本発明の実施例に係る基地局側のデータ伝送のための方法のフローチャートである。
【図３】本発明の実施例に係る端末側のデータ伝送のための方法のフローチャートである。
【図４】本発明に係る実施例１による、ＴＡ及び/または切り替え期間を有するシステムのアップリンクリソースとダウンリンクリソースとの間の割り当て及びそれらの間の対応関係の概略図である。
【図５】本発明に係る実施例１による、ＴＡ及び/または切り替え期間を有しないシステムのアップリンクリソースとダウンリンクリソースとの間の割り当て及びそれらの間の対応関係の概略図である。
【図６】本発明に係る実施例１による、ＴＡ及び/または切り替え期間を有する端末側の状況１または３の概略図である。
【図７】本発明に係る実施例１による、ＴＡ及び/または切り替え期間を有しない端末側の状況１または３の概略図である。
【図８】本発明に係る実施例１による、ＴＡ及び/または切り替え期間を有する端末側の状況２または４の概略図である。
【図９】本発明に係る実施例１による、ＴＡ及び/または切り替え期間を有しない端末側の状況２または４の概略図である。
【図１０】本発明に係る実施例１による、異なるサービスにおけるＴＡ及び/または切り替え期間を有するシステムのアップリンクリソースとダウンリンクリソースとの間の割り当て及びそれらの間の対応関係の概略図である。
【図１１】本発明に係る実施例１による、異なるサービス場合の、ＴＡ及び/または切り替え期間を有しないシステムのアップリンクリソースとダウンリンクリソースとの間の割り当て及びそれらの間の対応関係の概略図である。
【図１２】本発明に係る実施例２による、ＴＡ及び/または切り替え期間を有するシステムのアップリンクリソースとダウンリンクリソースとの間の割り当て及びそれらの間の対応関係の概略図である。
【図１３】本発明に係る実施例２による、ＴＡ及び/または切り替え期間を有しないシステムのアップリンクリソースとダウンリンクリソースとの間の割り当て及びそれらの間の対応関係の概略図である。
【図１４】本発明に係る実施例２による、ＴＡ及び/または切り替え期間を有する端末側の状況１または３の概略図である。
【図１５】本発明に係る実施例２による、ＴＡ及び/または切り替え期間を有しない端末側の状況１または３の概略図である。
【図１６】本発明に係る実施例２による、ＴＡ及び/または切り替え期間を有する端末側の状況２または４の概略図である。
【図１７】本発明に係る実施例２による、ＴＡ及び/または切り替え期間を有しない端末側の状況２または４の概略図である。
【図１８】本発明に係る実施例２による、異なるサービス場合の、ＴＡ及び/または切り替え期間を有するシステムのアップリンクリソースとダウンリンクリソースとの間の割り当て及びそれらの間の対応関係の概略図である。
【図１９】本発明に係る実施例２による、ＴＡ及び/または切り替え期間を有しないシステムのアップリンクリソースとダウンリンクリソースとの間の割り当て及びそれらの間の対応関係の概略図である。
【図２０】本発明の実施例に係る基地局側のデータ伝送のための装置の構成図である。
【図２１】本発明の実施例に係る端末側のデータ伝送のための装置の構成図である。
【図２２】本発明の実施例に係る基地局の構成図である。
【図２３】本発明の実施例に係る端末の構成図である。
【発明を実施するための形態】
【００７４】
本発明者らは、発明の実施中に、移動体通信サービスに対する需要が高まるにつれて、国際電気通信連合（International Telecommunication Union，ＩＴＵ）、第３世代パートナーシッププロジェクト（3rd Generation partnership project，３ＧＰＰ）、及び他の組織が新たな無線通信システム（例えば、５Ｇシステム）研究を行うようになることを見出した。新しい無線通信システムは、様々な共存するタイプのサービス、例えば、拡張モバイルブロードバンド（Enhanced Mobile Broadband，ｅＭＢＢ）サービス、超高信頼性及び低遅延通信（Ultra Reliable & Low Latency Communication，ＵＲＬＬＣ）サービス、大規模機械タイプ通信（Massive Machine Type Communication，ｍＭＴＣ）サービスなどをサポートすることができる。同じサービスのトラフィック量も異なる場合がある。ＵＬ/ＤＬトラフィックが時分割多重（Time Division Multiplexing，ＴＤＭ）モードで同じ周波数リソースを共有する場合、異なるタイプのサービスとトラフィック量の要求をサポートするために、柔軟で多様なリソース割り当てがサポートされなければならない。動的に割り当てられたアップリンク及びダウンリンクリソースを介してデータを送信するための関連する解決策はこれまで存在しなかった。
【００７５】
これに基づいて、本発明に係る実施例は、データ伝送案を提供し、１個の時間ユニットにおいて少なくとも２個のＤＬ検出領域を定義し、端末は、各検出領域でダウンリンク伝送を検出し、検出される場合、前記ダウンリンク領域に対応するアップリンク領域においてＡＣＫ／ＮＡＣＫフィードバックを行う。以下、図面を参照しながら本発明の具体的な実施例を説明する。
【００７６】
以下の説明では、ｅＮＢ側及びＵＥ側での実施形態をそれぞれ説明し、その後、これら両方による協調動作による実施形態の例について、以下による解決策の実装形態をよりよく理解するためにさらに説明する。発明の実施の形態のそのような説明は、両者が一実施形態で協働すること、または一実施形態で別々に動作することを示唆するものではなく、実際、ｅＮＢ(基地局)側及びＵＥ(端末)側のそれぞれの問題は、実施形態で別々に動作するときにも対処できる。ただし、両方の実装で協力すると、より良い技術的効果が得られる。
【００７７】
一般的に基地局側の動作が端末側に対応するので、一方の側を詳細に説明し、他方の側を簡潔にするために簡単に説明するが、これは反対側には対応の実施がないことを意味しないことにさらに留意されたい。当業者は、技術常識により、反対側の対応の実施を容易に知ることができる。
【００７８】
図２は、基地局側のデータ伝送のための方法のフローチャートであり、図に示すように、以下のステップを備える。
【００７９】
ステップ２０１において、１個の時間ユニットにおいてＤＬ領域を割り当て、前記１個の時間ユニットに少なくとも２個のＤＬ領域が含まれる。
【００８０】
ステップ２０２において、構成シグナリングにより割り当てられたＤＬ領域を端末に通知する。
【００８１】
図３は、端末側のデータ伝送のための方法のフローチャートであり、図に示すように、以下のステップを備える。
【００８２】
ステップ３０１において、構成シグナリングを受信する。
【００８３】
ステップ３０２において、前記構成シグナリングに従って１個の時間ユニットにおいて割り当てられたＤＬ領域を決定し、前記１個の時間ユニットに少なくとも２個のＤＬ領域が含まれる。
【００８４】
以下、基地局側を主に説明する。
【００８５】
実施では、前記構成シグナリングにより割り当てられたＤＬ領域を端末に通知することは、詳しくは、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知する。
【００８６】
具体的に、１個の時間ユニット内のＤＬ領域の割り当てを決定し、構成シグナリングにより割り当て結果を端末に通知する。
【００８７】
構成シグナリングにより１個の時間ユニット内のＤＬ領域の長さ及び位置を直接に通知する。１個の時間ユニット内のＤＬ領域の長さ及び位置の組み合わせパターンを複数に事前に定義する。前記構成シグナリングにより、１個のパターンを通知する。または前記構成シグナリングにより、１個の時間ユニット内のＤＬ領域の開始位置を直接に通知し、その長さは他の手法で得られ、例えば、エネルギー検出、または他の構成シグナリングによりその長さまたは終了位置を通知するか、または前記構成シグナリングにより１個の時間ユニット内のＤＬ領域の終了位置を直接に通知し、その開始位置は、エネルギー検出または事前定義またはＵＬ領域及び/またはＧＰ領域により決定される。
【００８８】
実施では、前記構成シグナリングにより、１個の時間ユニット内のＵＬ領域及び/またはＧＰ領域をさらに通知する。
【００８９】
具体的に、ＤＬ及びＵＬ領域が決定されると、ＧＰ領域もＤＬ及びＵＬ領域のサイズに従って自ら決定でき、通知が要らなくなる。同様に、ＤＬ及びＧＰ領域が決定されると、ＵＬ領域もＤＬ及びＧＰ領域のサイズに従って自ら決定でき、通知が要らなくなる。
【００９０】
実施では、前記構成シグナリングにより１個の時間ユニット内のＵＬ領域及び/またはＧＰ領域をさらに通知する場合、
端末に１個の時間ユニット内のＵＬ領域の長さ及び位置を通知するか、または、端末に複数の所定のパターンのうちの１つを通知し、各パターンに１個の時間ユニット内のＵＬ領域の長さ及び位置の割り当てが含まれる。
または、端末に１個の時間ユニット内のＵＬ領域の開始または終了位置を通知するか、または、端末が事前に定義した規則の下で前記指示情報に従って１個の時間ユニット内のＵＬ領域を決定するように、指示情報を端末に通知する。 
【００９１】
具体的に、構成シグナリングにより、１個の時間ユニット内のＵＬ領域の割り当て及び/またはＧＰの割り当てを通知することもでき、具体的には、
前記構成シグナリングにより、１個の時間ユニット内のアップリンク領域の長さ及び位置を直接に通知し、
または１個の時間ユニット内のアップリンク領域の長さ及び位置の組み合わせパターン複数を事前に定義し、前記構成シグナリングにより通知する。ここでは、１個のパターンである。
または前記構成シグナリングにより１個の時間ユニット内のアップリンク領域の開始または終了位置を直接に通知し、アップリンク領域の長さは、例えば、スケジューリングシグナリング、または他の構成シグナリングによる通知などのたの方法で得られる。
【００９２】
他の実施形態として、１個の時間ユニット内のＵＬ領域は、アップリンクスケジューリングシグナリングに従って決定され、またはダウンリンク伝送のＡＣＫ／ＮＡＣＫがフィードバックされる位置に従って決定される。即ち、前記アップリンク領域は、暗黙的に取得され、例えば、アップリンクスケジューリングシグナリングに従って、スケジューリングされたアップリンク領域を決定し、ダウンリンク伝送のＡＣＫ／ＮＡＣＫがフィードバックされる位置に従って、ＡＣＫ／ＮＡＣＫを運ぶアップリンク領域などを決定し、または構成シグナリングによりＧＰ領域を通知し、ＧＰ領域及びダウンリンク領域に従ってアップリンク領域を決定する。
【００９３】
実施では、さらに、１個の時間ユニット内のＵＬ領域は、アップリンクスケジューリングシグナリングに従って決定され、またはダウンリンク伝送のＡＣＫ／ＮＡＣＫがフィードバックされる位置に従って決定される。
【００９４】
実施では、前記構成シグナリングは、高位層シグナリングまたは物理ダウンリンク制御シグナリングにより通知されるものであるか、または、前記構成シグナリングは、ユニキャストまたはブロードキャストまたはグループキャスト形式で通知される。
【００９５】
具体的に、構成シグナリングは、ユニキャストまたはブロードキャストまたはグループキャスト形式で送信されることができ、例えば、ある周期で送信され、異なる周期での送信内容は異なる。または前記構成シグナリングは、高位層シグナリングまたはダウンリンク制御チャネルにより送信されることもできる。前記ダウンリンク制御チャネルはＵＳＳ（UE-specific search space）において伝送することでき、ＣＳＳ（Cell-specific search space）において伝送することもできる。
【００９６】
実施では、さらに、１個の時間ユニット内の少なくとも１個のＤＬ領域において、前記端末にダウンリンク制御チャネルを送信する。
【００９７】
実施では、１個の時間ユニット内の少なくとも１個のＤＬ領域において、前記端末にダウンリンク制御チャネルを送信する前に、さらに、１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域である。
前記検出ＤＬ領域が構成または定義された場合、前記端末に対応する検出ＤＬ領域のうちの少なくとも１個のＤＬ領域において、前記端末にダウンリンク制御チャネルを送信する。
【００９８】
具体的に、１個の時間ユニット内の少なくとも１個のＤＬ領域において、前記端末にダウンリンク制御チャネルを送信し、端末の検出ＤＬ領域を事前に構成し、前記検出ＤＬ領域は、すべてのＤＬ領域または一部のＤＬ領域である。前記検出ＤＬ領域が構成された場合、前記端末に対応する検出ＤＬ領域において、前記端末にダウンリンク制御チャネルを送信する。
【００９９】
これに応じて、端末側について、以下とおりである。
【０１００】
実施では、さらに、１個の時間ユニット内の各ＤＬ領域または各検出ＤＬ領域において、ダウンリンク制御チャネルを検出する。
【０１０１】
実施では、１個の時間ユニット内の各検出ＤＬ領域においてダウンリンク制御チャネルを検出する前に、構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域である。
【０１０２】
実施では、さらに、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、 
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信する。
【０１０３】
具体的に、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信する。
【０１０４】
これに応じて、端末側では、以下通りで実施できる。
【０１０５】
実施では、さらに、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信する。
または、前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信する。
【０１０６】
具体的に、端末が１個のＤＬ領域においてダウンリンク伝送（ＡＣＫ／ＮＡＣＫフィードバックを行うべきダウンリンク制御チャネル及びダウンリンク共有チャネルが含まれ、ダウンリンク共有チャネルは、対応のダウンリンク制御チャネルを有する場合、及びダウンリンク制御チャネルを有しない場合がある）を検出する場合、前記ＤＬ領域に対応するＵＬ領域において、ダウンリンク伝送のＡＣＫ／ＮＡＣＫフィードバックの行う。端末が１個のＤＬ領域においてアップリンクＤＣＩフォーマットを利用したダウンリンク制御チャネルを検出した場合、前記ＤＬ領域に対応するＵＬ領域において、前記ダウンリンク制御チャネルに対応するアップリンク共有チャネルを送信する。
【０１０７】
実施では、以下のスキームのうちの１つまたは組み合わせでＤＬ領域に対応するＵＬ領域を決定することができる。
【０１０８】
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものである。
【０１０９】
具体的に、１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、ここで、各ＤＬ領域に対応する長さＴは、同じまたは異なる。前記ＤＬ領域＋長さＴ＋対応するＵＬ領域の長さは、１個の時間ユニットの長さより小さいか、大きいか、等しい。Ｔは、事前に定義または構成されたものである。構成された場合、高位層シグナリングにより半静的に構成され、また、前記ダウンリンク制御チャネルにより（例えば、示したフィードバックタイミングまたはフィードバック遅延またはスケジューリングタイミングまたはスケジューリング遅延）示されるものである。
【０１１０】
または、前記ダウンリンク制御チャネルの指示情報によりＤＬ領域に対応するＵＬ領域を示す。
【０１１１】
具体的に、前記ダウンリンク制御チャネルの指示情報に従って、ＤＬ領域に対応するＵＬ領域を決定する。例えば、指示情報によりＵＬ領域の時間領域位置を直接に示し、例えば、指示シンボル、mini-slot（ミニスロット）、slot（スロット）、subframe（サブフレーム）番号など。また、定義した処理遅延に基づいて１個の遅延を示し、当該遅延及び処理遅延により、ダウンリンク領域終了位置後の、処理遅延及び遅延を満たす領域または１番目のＵＬ領域を、前記ＤＬ領域に対応するＵＬ領域として決定する。
【０１１２】
または、１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域である。
【０１１３】
または、１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域である。
【０１１４】
具体的に、１個の時間ユニット内の前のａ個のＤＬ領域に対応するＵＬ領域を、現在の時間ユニット内のＵＬ領域として、事前に定義または構成することができる。即ち、１個の時間ユニット内の前のａ個のＤＬ領域におけるダウンリンク伝送のＡＣＫ／ＮＡＣＫを、当該時間ユニット内のＵＬ領域でフィードバックする。即ち、１個の時間ユニット内の前のａ個のＤＬ領域においてアップリンクＤＣＩフォーマットを利用したダウンリンク制御チャネルにより、当該時間ユニット内のＵＬ領域でアップリンク共有チャネルを伝送するようにスケジューリングする。当該時間ユニットに複数のＵＬ領域が含まれば、１個の時間ユニット内の前のａ個のＤＬ領域に対応するＵＬ領域は、現在の時間ユニット内の定義または構成されたＵＬ領域であり、例えば、定義または構成た現在の時間ユニット内の最後のＵＬ領域である。１個の時間ユニット内の最後のｂ個のＤＬ領域に対応するＵＬ領域は、次の時間ユニット内のＵＬ領域として事前に定義または構成され、即ち、１個の時間ユニット内の最後のｂ個のＤＬ領域内のダウンリンク伝送のＡＣＫ／ＮＡＣＫが次の時間ユニット内のＵＬ領域においてフィードバックされる。即ち、１個の時間ユニット内の最後のｂ個のＤＬ領域においてアップリンクＤＣＩフォーマットを利用するダウンリンク制御チャネルは、次の時間ユニット内のＵＬ領域において伝送されるアップリンク共有チャネルをスケジューリングする。次の時間ユニットに複数のＵＬ領域が含まれる場合、１個の時間ユニット内の最後のｂ個のＤＬ領域に対応するＵＬ領域は、次の時間ユニット内の定義または構成されたＵＬ領域となり、例えば、次の時間ユニット内の１番目のＵＬ領域として定義または構成される。 
【０１１５】
例えば、１個の時間ユニットに２つのＤＬ領域と１つのＵＬ領域がある場合、１番目の時間ユニット内の１番目のＤＬ領域が当該時間ユニット内のＵＬ領域に対応し、１番目の時間ユニット内の２番目のＤＬ領域が次の時間ユニット内のＵＬ領域に対応するように定義する。別の例では、１個の時間ユニットに２つのＤＬ領域及び２つのＵＬ領域がある場合、１個の時間ユニット内の１番目のＤＬ領域が当該時間ユニット内の第２のＵＬ領域に対応し、１個の時間ユニット内の２番目のＤＬ領域が次の時間ユニット内の１番目のＵＬ領域に対応するように定義する。
【０１１６】
他の定義は排除されない。そして、１個の時間ユニット中により多くのＤＬ及びＵＬ領域があるとき、同様の定義が適用される。
【０１１７】
または、１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。
【０１１８】
具体的に、例えば、１個の時間ユニットに２つのＤＬ領域及び２つのＵＬ領域が含まれる場合、１番目のＤＬ領域が１番目のＵＬ領域に対応し、２番目のＤＬ領域が２番目のＵＬ領域に対応するように定義することができる。
【０１１９】
実施では、さらに、対応のＵＬ領域においてＡＣＫ／ＮＡＣＫフィードバックのためのリソースを決定するために、ＵＥのための前記ダウンリンク制御チャネルにおいてフィードバック遅延またはフィードバックタイミングまたはフィードバック位置インデックスが示される。
【０１２０】
及び/または、対応のＵＬ領域においてアップリンク共有チャネル伝送のためのリソースを決定するために、ＵＥのための前記ダウンリンク制御チャネルにおいてスケジューリング遅延またはスケジューリングタイミングまたはスケジューリング位置インデックスが示される。
【０１２１】
具体的に、ダウンリンク制御チャネルは、端末にＡＣＫ／ＮＡＣＫをフィードバックするためのリソース（例えば、シンボルまたはミニスロット）を決定するために、１個のフィードバック遅延またはフィードバックタイミングまたはフィードバック位置インデックスを示すことができる。
【０１２２】
ダウンリンク制御チャネルは、端末にアップリンク共有チャネル伝送をするためのリソース（例えば、シンボルまたはミニスロット）を決定するために、１個のスケジューリング遅延またはスケジューリングタイミングまたはスケジューリング位置インデックスを示すことができる。
【０１２３】
実施では、１個の時間ユニットは、１つ以上のスロットであるか、または１つ以上のサブフレームである。
【０１２４】
実際の実施では、１個の時間ユニット内の複数のＤＬ領域は、隣接してもしなくてもよい（間隔部分について、現在のダウンリンク伝送と現在のＵＥのアップリンクフィードバックとの間でＧＰだけ間隔を空けられ、当該部分は、他のＵＥのＵＬ伝送とすることができる）。
【０１２５】
１個の時間ユニット内の各ＤＬ領域サイズは同じでも異なってもよい。例えば、１番目のＤＬ領域に２つのシンボルがあり、２番名のＤＬ領域に３つのシンボルがある。
【０１２６】
異なるサービスの場合、１個の時間ユニットに含まれるＤＬ領域及びＵＬ領域の数は異なる。例えば、ｅＭＢＢサービスの場合、１個の時間ユニットに１つのＤＬ領域と１つのＵＬ領域があり、ＵＲＬＬＣサービスの場合、１個の時間ユニットに２つのＤＬ領域と２つのＵＬ領域がある。異なるサービスの場合、ＤＬ領域及びＵＬ領域の対応関係は同じでも異なってもよい。
【０１２７】
１個の時間ユニットは、１つ以上のスロットであるか、または１つ以上のサブフレームである。
【０１２８】
具体的な実施は、基地局側での実施形態の説明を参照することができる。
【０１２９】
基地局側と端末側とが互いに協働する実装形態の特定の例は、以下でさらに説明される。
【０１３０】
実施例による図面において、ＡＮは、ＡＣＫ／ＮＡＣＫ（Acknowledgement／Negative Acknowledgement，肯定応答／否定応答）を指す。
【０１３１】
実施例１：
図４は、実施例１による、ＴＡ及び/または切り替え期間を有するシステムのアップリンクリソースとダウンリンクリソースとの間の割り当て及びそれらの間の対応の概略図である。図５は、実施例１による、ＴＡ及び/または切り替え期間を有しないシステムのアップリンクリソースとダウンリンクリソースとの間の割り当て及びそれらの間の対応の概略図である。図４示すように、例えば、基地局は、１個の時間ユニットを２つのＤＬ領域及び１つのＵＬ領域に分割し、ＤＬ領域とＵＬ領域との間は空白領域またはＧＰ領域であり、ＵＬのＴＡ（Timing Advance，ＴＡ）要求、ＤＬからＵＬへの切り替え期間などを満たすため、隣接セル間の干渉などを考慮して決定された予約されている領域もあり得る。勿論、ＴＡまたは切り替え期間または干渉防止が必要とされない場合、図５に示されるように空白部分またはＧＰ部分が存在しなくてもよい。ＤＬ領域とＵＬ領域の対応関係を直接に定義または構成することができる。例えば、１個の時間ユニット内の１番目のＤＬ領域は、当該時間ユニット内のＵＬ領域内のアップリンク伝送をスケジューリングするように定義または構成することができる（ここで、当該ＵＬ領域内のアップリンク伝送は、当該ＵＬ領域内の一部のＯＦＤＭ（Orthogonal Frequency Division Multiplex）またはＳＣ−ＦＤＭＡ（Single-carrier Frequency-Division Multiple）シンボルまたは一部のmini-slotを占有すれば、したがって、同一または異なる端末の複数のアップリンク共有チャネルをＵＬ領域内で送信することができる。複数のアップリンク共有チャネルＴＤＭ（Time Division Multiplexing）モードでは、またはＵＬ領域でのアップリンク送信は、ＵＬ領域全体の長さを占めることができ、以下、同様である）。１個の時間ユニット内の２番目のＤＬ領域の場合、次の時間ユニット内のＵＬ領域においてアップリンク伝送をスケジューリングする。１個の時間ユニット内の１番目のＤＬ領域内のダウンリンク伝送のＡＣＫ／ＮＡＣＫ（ここで、前記ＤＬ領域内のダウンリンク伝送は、前記ＤＬ領域内の一部のＯＦＤＭシンボルまたは一部のmini- slotのみを占有し、ＴＤＭ伝送の場合、１個のＤＬ領域で同じまたは異なる端末の複数のダウンリンク伝送があり得る。ＤＬ領域の長さ全体を占有することもできる）は、当該時間ユニット内のＵＬ領域においてフィードバックされ（ダウンリンク伝送のＡＣＫ／ＮＡＣＫフィードバック情報を搬送するアップリンクチャネルが当該ＵＬ領域内の一部のＯＦＤＭまたはＳＣ−ＦＤＭＡシンボルまたは一部のmini-slotを占有すると、１個のＵＬ領域に、同じまたは異なる端末の複数のＡＣＫ／ＮＡＣＫを搬送するアップリンクチャネルＴＤＭ伝送があり、ＵＬ領域長さ全体を占有することもでき、以下同じ）、１個の時間ユニット内の２番目のＤＬ領域内のダウンリンク伝送のＡＣＫ／ＮＡＣＫは、図４及び５に示すように、次の時間ユニット内のＵＬ領域においてフィードバックされる。勿論、Ｔの値を定義または構成することもでき、ＤＬ領域後の時間Ｔが離れたＵＬ領域を対応のＵＬ領域として定義する。図４及び図５に示すように、上記のように事前定義または構成された対応関係の同じ効果を得る。また、異なるＤＬ領域の長さＴが異なり、スケジューリング関係を定義するためのＴの値は��フィードバック関係を定義するためのＴの値と同じであっても同じでなくてもよい。１個の時間ユニット内のＤＬ領域及びＵＬ領域がなるように分割されると、対応するＴの値もまた異なり、例えば、異なるサービスに対して異なるＤＬ領域とＵＬ領域の割り当てがある。本実施例では、１個の時間ユニットは、１個のスロットまたは１個のサブフレームとすることができる。勿論、他の時間ユニット長さを定義することもできる。
【０１３２】
基地局は、以下の実装形態では、上記の割り当てを端末に通知することができる。
【０１３３】
一実装形態では、基地局は高位層シグナリングにより端末に通知する。
【０１３４】
別の一実装形態では、基地局は、各時間ユニットまたは複数の時間ユニット内の１個の時間ユニット内の定義されたＤＬ領域内の特定のリソースにおいて（例えば、１個の時間ユニット内の最初Ｎ個のＯＦＤＭシンボル）構成シグナリングを送信する。当該構成シグナリングは、データチャネルにより伝送され（例えば、システム情報ブロック（System Information Block，ＳＩＢ）の情報の送信と類似する）、制御チャネルにより（例えば、共通検索スペースにおいて所定のダウンリンク制御情報（Downlink Control Information，ＤＣＩ）フォーマットにより送信される）伝送されることもできる。
【０１３５】
ＵＥは、各ＤＬ領域のサイズ及び位置を直接通知されることができ、ＵＬ領域のサイズは、フィードバック送信またはアップリンク送信の要求があるかどうかに応じて暗黙的に決定されることができる。あるいは、通知各ＤＬ領域及びＵＬ領域のサイズ及び位置、あるいは、通知各ＤＬ領域及びＧＰのサイズ及び位置をＵＥに通知してもよい。あるいは、ＵＥに、ＵＬ領域のサイズと位置、及びＧＰのサイズと位置を通知することができる。勿論、１個の時間ユニット内の複数のＤＬ領域、ＵＬ領域、ＧＰ領域のサイズ及び位置の組み合わせのパターンをを事前に定義し、そのうちの１つをシグナリングで指示することもできる。
【０１３６】
端末は、構成シグナリングを受信し、ダウンリンク制御チャネルについて検出されるべき特定の構成要素を決定するために時間ユニットでＤＬ領域の対応する割り当てを決定し、ここで、上記基地局のそれぞれの構成に従い、さらに通知内容に従ってＵＬ領域の割り当てをさらに決定し、またはスケジューリング関係に従ってＵＬ領域を直接に暗黙的に決定する。
【０１３７】
端末をスケジューリングする基地局は、１個の時間ユニットで少なくとも１個のＤＬ領域を選択し、選択されたＤＬ領域のダウンリンク制御チャネルサーチスペースで当該端末にダウンリンク制御チャネルを送信して、当該端末に、当該選択されたＤＬ領域でダウンリンク共有チャネルを受信するかまたは対応のＵＬ領域においてアップリンク共有チャネルを送信するようにスケジューリングさせるようにする。
【０１３８】
例えば、状況１：基地局は、ＤＬ領域１において、ダウンリンクＤＣＩフォーマットを利用するダウンリンク制御チャネル１を送信し、端末１に、ＤＬ領域１においてダウンリンク共有チャネル１を受信させるようにスケジューリングする。ＤＬ領域２においてダウンリンクＤＣＩフォーマットを利用するダウンリンク制御チャネル２を送信し、端末２に、ＤＬ領域１においてダウンリンク共有チャネル２を受信させるようにスケジューリングする。
【０１３９】
別の例では、状況２：基地局は、ＤＬ領域１において、ダウンリンクＤＣＩフォーマットを利用するダウンリンク制御チャネル１-１を送信し、端末１にＤＬ領域１においてダウンリンク共有チャネル１-１を受信するようにスケジューリングする。ＤＬ領域１においてダウンリンクＤＣＩフォーマットを利用するダウンリンク制御チャネル２-１を送信し、端末２にＤＬ領域１においてダウンリンク共有チャネル２-１を受信させるようにスケジューリングする。ＤＬ領域２においてダウンリンクＤＣＩフォーマットを利用するダウンリンク制御チャネル１-２を送信し、端末１にＤＬ領域２においてダウンリンク共有チャネル１-２を受信するようにスケジューリングする。ＤＬ領域２においてダウンリンクＤＣＩフォーマットを利用するダウンリンク制御チャネル２-２を送信し、端末２にＤＬ領域２においてダウンリンク共有チャネル２-２を受信させるようにスケジューリングする。
【０１４０】
別の例では、状況３：基地局は、ＤＬ領域１において、アップリンクＤＣＩフォーマットを利用するダウンリンク制御チャネル１を送信し、端末１に当該時間ユニット内のＵＬ領域においてアップリンク共有チャネル１を送信させるようにスケジューリングする。ＤＬ領域２においてアップリンクＤＣＩフォーマットを利用するダウンリンク制御チャネル２を送信し、端末２に、次の時間ユニット内のＵＬ領域においてアップリンク共有チャネル２を送信させるようにスケジューリングする。
【０１４１】
別の例では、状況４：基地局は、ＤＬ領域１において、アップリンクＤＣＩフォーマットを利用するダウンリンク制御チャネル１-１を送信し、端末１に当該時間ユニット内のＵＬ領域においてアップリンク共有チャネル１-１を送信するようにスケジューリングする。ＤＬ領域１においてアップリンクＤＣＩフォーマットを利用するダウンリンク制御チャネル２-１を送信し、端末２に、当該時間ユニット内のＵＬ領域においてアップリンク共有チャネル２-１を送信させるようにスケジューリングする。ＤＬ領域２においてアップリンクＤＣＩフォーマットを利用するダウンリンク制御チャネル１-２を送信し、端末１に、次の時間ユニット内のＵＬ領域においてアップリンク共有チャネル１-２を送信させるようにスケジューリングする。ＤＬ領域２においてアップリンクＤＣＩフォーマットを利用するダウンリンク制御チャネル２-２を送信し、端末２に、次の時間ユニット内のＵＬ領域においてアップリンク共有チャネル２-２を送信させるようにスケジューリングする。
【０１４２】
勿論、上記は組み合わせて存在することができ、例えば、各端末について、アップリンクとダウンリンクの両方のスケジュール送信があり得る。即ち、状況１と３の両方、または状況２と４の両方があり得る。別の例では、１個の端末について、基地局は、１個の時間ユニット内に１個のＤＬ領域のみでダウンリンク制御チャネルを送信することができる。（アップリンクまたはダウンリンクＤＣＩフォーマットを利用するダウンリンク制御チャネルを含み、以下同じ）。他の１個の時間ユニットで２つのＤＬ領域の両方でダウンリンク制御チャネルを送信することができる。
【０１４３】
勿論、基地局は、端末によって検出されるＤＬ領域をさらに事前構成することができ、この構は、無線リソース制御（Radio Resourceｌ，ＲＲＣ）シグナリングを介して半静的に行うことができ、または構成シグナリングを周期的に送信することによって行うことができる。実際には必要に応じて周期性を変更することができる。例えば、一部の端末は、ＤＬ領域１のみにおいてダウンリンク制御チャネルを検出するように構成され、他の一部の端末は、ＤＬ領域２のみにおいてダウンリンク制御チャネル検出するように構成される。基地局が端末のアップリンクまたはダウンリンク伝送をスケジューリングしようとすれば、これらの端末のために構成されたＤＬ検出領域のみにおいて、これらの端末のダウンリンク制御チャネルを送信する。
【０１４４】
端末は、決定されたＤＬ及びＵＬ領域の割り当てに従って、１個の時間ユニット内の各ＤＬ領域においてダウンリンク制御チャネルをブラインド検出する。自分のダウンリンクＤＣＩフォーマットを利用するダウンリンク制御チャネルが検出された場合、前記ＤＬ領域において対応のダウンリンク共有チャネルを受信し、前記ダウンリンク共有チャネルのＡＣＫ／ＮＡＣＫフィードバック情報を生成する（図に示すＡＮフィードバック）。前記ＤＬ領域に対応するＵＬ領域において、ＡＣＫ／ＮＡＣＫフィードバックを行う。ＡＣＫ／ＮＡＣＫフィードバックが、同じＵＬ領域に対応する複数のＤＬ領域に対して行われる場合、複数のＤＬ領域内のＡＣＫ／ＮＡＣＫフィードバック情報は、ＵＬ領域内の同じアップリンクチャネルを介してフィードバックされ得る。または、異なるアップリンクチャネルを介してフィードバックされ得る。ここで、異なるアップリンクチャネルがある場合、異なる時点で送信されるアップリンクチャネル、同じ時点で異なる周波数リソースで送信されるアップリンクチャネル、または、同じ時間及び周波数リソースで符号分割モードで伝送されるアップリンクチャネルであることができる。自分のアップリンクＤＣＩフォーマットを利用するダウンリンク制御チャネルが検出されると、前記ＤＬ領域に対応するＵＬ領域において、対応のアップリンク共有チャネルを送信する。
【０１４５】
例えば、基地局側の状況１に対応して：端末１は、ＤＬ領域１及び２でダウンリンクＤＣＩフォーマットを利用するダウンリンク制御チャネルを検出し、ＤＬ領域１のみにおいてダウンリンクＤＣＩフォーマットを利用するダウンリンク制御チャネル１が検出されると、前記ダウンリンク制御チャネル１により搬送されたスケジューリング情報に従って、ＤＬ領域１において対応のダウンリンク共有チャネル１を受信し、ＡＣＫ／ＮＡＣＫフィードバック情報を生成し、当該時間ユニット内のＵＬ領域においてＡＣＫ／ＮＡＣＫフィードバックを行う。端末２は、ＤＬ領域１及び２においてダウンリンクＤＣＩフォーマットを利用するダウンリンク制御チャネルを検出し、ＤＬ領域２のみにおいてダウンリンクＤＣＩフォーマットを利用するダウンリンク制御チャネル２を検出すると、前記ダウンリンク制御チャネル２により搬送されたスケジューリング情報に従って、ＤＬ領域２において対応のダウンリンク共有チャネル２を受信し、ＡＣＫ／ＮＡＣＫフィードバック情報を生成し、次の時間ユニット内のＵＬ領域においてＡＣＫ／ＮＡＣＫフィードバックを行う。この際、端末１及び端末２の伝送パターンは、図６、７のＡＮフィードバック関係によって示される。ここで、図６は、実施例１による、ＴＡ及び/または切り替え期間を有する端末側状況１または３を示す図であり、図７は、実施例１による、ＴＡ及び/または切り替え期間を有しない端末側状況１または３を示す図である。
【０１４６】
別の例では、基地局側の状況２に対応して：端末１は、ＤＬ領域１及び２でダウンリンクＤＣＩフォーマットを利用するダウンリンク制御チャネルを検出し、ＤＬ領域１においてダウンリンクＤＣＩフォーマットを利用するダウンリンク制御チャネル１-１を検出すると、前記ダウンリンク制御チャネル１-１により搬送されたスケジューリング情報に従って、ＤＬ領域１において対応のダウンリンク共有チャネル１-１を受信し、ＡＣＫ／ＮＡＣＫフィードバック情報を生成し、当該時間ユニット内のＵＬ領域においてＡＣＫ／ＮＡＣＫフィードバックを行う。ＤＬ領域２においてダウンリンクＤＣＩフォーマットを利用するダウンリンク制御チャネル１-２を検出すると、前記ダウンリンク制御チャネル１-２により搬送されたスケジューリング情報に従って、ＤＬ領域２において対応のダウンリンク共有チャネル１-２を受信し、ＡＣＫ／ＮＡＣＫフィードバック情報を生成し、次の時間ユニット内のＵＬ領域においてＡＣＫ／ＮＡＣＫフィードバックを行う。端末２は、ＤＬ領域１及び２においてダウンリンクＤＣＩフォーマットを利用するダウンリンク制御チャネルを検出し、ＤＬ領域１においてダウンリンクＤＣＩフォーマットを利用するダウンリンク制御チャネル２-１を検出すると、前記ダウンリンク制御チャネル２-１により搬送されたスケジューリング情報に従って、ＤＬ領域１において対応のダウンリンク共有チャネル２-１を受信し、ＡＣＫ／ＮＡＣＫフィードバック情報を生成し、当該時間ユニット内のＵＬ領域においてＡＣＫ／ＮＡＣＫフィードバックを行う。ＤＬ領域２においてダウンリンクＤＣＩフォーマットを利用するダウンリンク制御チャネル２-２を検出すると、前記ダウンリンク制御チャネル２-２により搬送されたスケジューリング情報に従って、ＤＬ領域２において対応のダウンリンク共有チャネル２-２を受信し、ＡＣＫ／ＮＡＣＫフィードバック情報を生成し、次の時間ユニット内のＵＬ領域においてＡＣＫ／ＮＡＣＫフィードバックを行う。この際、端末１及び端末２の伝送パターンは、図８、９のＡＮフィードバック関係によって示される。ここで、図８は、実施例１による、ＴＡ及び/または切り替え期間を有する端末側状況２または４の概略図である。図９は、実施例１による、ＴＡ及び/または切り替え期間を有しない端末側状況２または４の概略図である。
【０１４７】
別の例では、基地局側の状況３に対応して：端末１は、ＤＬ領域１及び２においてアップリンクＤＣＩフォーマットを利用するダウンリンク制御チャネルを検出し、ＤＬ領域１のみにおいてアップリンクＤＣＩフォーマットを利用するダウンリンク制御チャネル１を検出すると、前記ダウンリンク制御チャネル１により搬送されたスケジューリング情報に従って、当該時間ユニット内のＵＬ領域において対応のアップリンク共有チャネル１を送信する。 端末２は、ＤＬ領域１及び２においてアップリンクＤＣＩフォーマットを利用するダウンリンク制御チャネルを検出し、ＤＬ領域２のみにおいてアップリンクＤＣＩフォーマットを利用するダウンリンク制御チャネル２を検出すると、前記ダウンリンク制御チャネル２により搬送されたスケジューリング情報に従って、次の時間ユニット内のＵＬ領域において対応のアップリンク共有チャネル２を送信する。この際、端末１及び端末２の伝送パターンは、図６、７のＵＬスケジューリング関係によって示される。
【０１４８】
別の例では、基地局側の状況４に対応して：端末１は、ＤＬ領域１及び２においてアップリンクＤＣＩフォーマットを利用するダウンリンク制御チャネルを検出し、ＤＬ領域１においてアップリンクＤＣＩフォーマットを利用するダウンリンク制御チャネル１-１を検出すると、前記ダウンリンク制御チャネル１-１により搬送されたスケジューリング情報に従って、当該時間ユニット内のＵＬ領域において対応のアップリンク共有チャネル１-１を送信する。ＤＬ領域２においてアップリンクＤＣＩフォーマットを利用するダウンリンク制御チャネル１-２を検出すると、前記ダウンリンク制御チャネル１-２により搬送されたスケジューリング情報に従って、次の時間ユニット内のＵＬ領域において対応のアップリンク共有チャネル１-２を送信する。端末２は、ＤＬ領域１及び２においてアップリンクＤＣＩフォーマットを利用するダウンリンク制御チャネルを検出し、ＤＬ領域１においてアップリンクＤＣＩフォーマットを利用するダウンリンク制御チャネル２-１を検出すると、前記ダウンリンク制御チャネル２-１により搬送されたスケジューリング情報に従って、当該時間ユニット内のＵＬ領域において対応のアップリンク共有チャネル２-１を送信する。ＤＬ領域２においてアップリンクＤＣＩフォーマットを利用するダウンリンク制御チャネル２-２を検出すると、前記ダウンリンク制御チャネル２-２により搬送されたスケジューリング情報に従って、次の時間ユニット内のＵＬ領域において対応のアップリンク共有チャネル２-２を送信する。この際、端末１及び端末２の伝送パターンは、図８、９のＵＬスケジューリング関係によって示される。
【０１４９】
勿論、端末における特定の受信は、基地局による実際のスケジューリングに依存し、上記の状況の組み合わせがあり得る。例えば、各端末について、アップリンクとダウンリンクの両方のスケジュール送信があり得る。即ち、状況１と３の両方、または状況２と４の両方があり得る。別の例では、１個の端末は、１個の時間ユニットで１個のＤＬ領域のみにおいてダウンリンク制御チャネルを検出し（アップリンクまたはダウンリンクＤＣＩフォーマットを利用するダウンリンク制御チャネルを含み、以下同じ）、たの１個の時間ユニットで２つのＤＬ領域の両方でダウンリンク制御チャネルを検出する。
【０１５０】
勿論、基地局がＤＬ領域を端末によって検出されるように事前に構成する場合、端末は、構成されたＤＬ領域のみにおいてダウンリンク制御チャネルを検出する。そして、検出されたダウンリンク制御チャネルに従って、前記ＤＬ領域に対応するＵＬ領域において、ＡＣＫ／ＡＮＣＫフィードバック及び/またはアップリンク共有チャネル伝送を行う。例えば、端末１は、ＤＬ領域１のみにおいてダウンリンク制御チャネルを検出するように構成されると、端末１は、ＤＬ領域１のみにおいてダウンリンク制御チャネルを検出し、検出されたダウンリンク制御チャネルに従って、当該時間ユニット内のＵＬ領域においてＡＣＫ／ＡＮＣＫフィードバック及び/またはアップリンク共有チャネル伝送を行うことを決定する。端末２は、ＤＬ領域２のみにおいてダウンリンク制御チャネルを検出するように構成されると、端末２は、ＤＬ領域２のみにおいてダウンリンク制御チャネルを検出し、検出されたダウンリンク制御チャネルに従って、次の時間ユニット内のＵＬ領域においてＡＣＫ／ＡＮＣＫフィードバック及び/またはアップリンク共有チャネル伝送を行うことを決定する。
【０１５１】
基地局側は、送信したダウンリンク制御チャネル状況に従って、対応のＵＬ領域において前記ＤＬ領域内のダウンリンク伝送に対応するＡＣＫ／ＮＡＣＫフィードバック情報を受信するか、及び/または前記ＤＬダウンリンク領域で送信されたアップリンクＤＣＩフォーマットを利用するダウンリンク制御チャネルによりスケジューリングされたアップリンク共有チャネルを受信する。
【０１５２】
図１０は、実施例１による、異なるサービス場合の、ＴＡ及び/またはは切り替え期間を有するシステムのアップリンクリソースとダウンリンクリソースとの間の割り当て及びそれらの間の対応関係の概略図である。図１１は、実施例１による、異なるサービス場合の、ＴＡ及び/または切り替え期間を有しないシステムのアップリンクリソースとダウンリンクリソースとの間の割り当て及びそれらの間の対応関係の概略図である。例えば、本実施例のパターンが、本実施例のパターンが対応するｅＭＢＢサービスに対して定義されている場合、システム内にＵＲＬＬＣサービスもある場合、図１０及び図１１に示すようなパターンをＵＲＬＬＣサービスに対して定義することができる。即ち、１個の時間ユニットにおいて１個のＤＬ領域及び１個のＵＬ領域が定義され、ＤＬ領域はｅＭＢＢサービスの全ＤＬ領域、またはその部分集合であり、ＵＬＵＬ領域はｅＭＢＢサービスの全ＵＬ領域、または部分集合またはｅＭＢＢ ＵＬ領域より大きい。これは、ＵＲＬＬＣサービスのフィードバック、スケジューリング遅延、実際の需要などに応じる。最後のダウンリンクスケジューリングユニットが、現在の時間ユニット内のＵＬ領域においてフィードバックまたはアップリンク共有チャネル伝送を行うことをできるとの条件を満たす場合である。こうして、ＵＲＬＬＣサービスの場合、１個の時間ユニットでアップリンクスケジューリングまたはダウンリンクフィードバックを行うことを確保する。勿論、システムにおいてｅＭＢＢ及びＵＲＬＬＣに対して、ＤＬ及びＵＬ割り当てを定義してもよく、ｅＭＢＢサービスの場合、上述の過程に対応するフィードバック及びスケジューリング関係に従ってい動作すればよい。ＵＲＬＬＣ場合の１個の時間ユニット内のすべてのＤＬ領域内のダウンリンク伝送は、現在の時間ユニット内のＵＬ領域においてフィードバックされ、または１個の時間ユニット内のすべてのＤＬ領域内のアップリンクＤＣＩフォーマットを利用するダウンリンク制御チャネルは、現在の時間ユニット内のＵＬ領域においてアップリンク共有チャネル伝送を行うようにスケジューリングすることができる。即ち、この際、ＵＲＬＬＣ場合の１個の時間ユニットにおけるＤＬ終了位置とＵＬ開始位置との関係が、フィードバック要求とスケジューリング遅延を満たすために必要となる。こうして、フィードバック及びアップリンクスケジューリングは、すべてのＤＬ領域について現在の時間ユニットで行うことができ、それによってスケジューリング及びフィードバック遅延を短縮する。異なるＵＲＬＣサービスのために定義されたＤＬ領域及びフィードバック／スケジューリング関係によるＵＲＬＬＣサービスの動作フローは、異なるフィードバック及びスケジューリング遅延が定義されることを除いて、上記と同じであるので、ここでの繰り返しの説明は省略する。
【０１５３】
実施例２：
図１２は、実施例２による、ＴＡ及び/または切り替え期間を有するシステムのアップリンクリソースとダウンリンクリソースとの間の割り当て及びそれらの間の対応の概略図である。図１３は、実施例２による、ＴＡ及び/または切り替え期間を有しないシステムのアップリンクリソースとダウンリンクリソースとの間の割り当て及びそれらの間の対応の概略図である。図１２に示すように、例えば、基地局は、１個の時間ユニットを２つのＤＬ領域及び２つのＵＬ領域に分割し、ＤＬ領域とＵＬ領域との間は空白領域またはＧＰ領域であり、ＵＬのＴＡ要求、ＤＬからＵＬへの切り替え期間などを満たすため、隣接セル間の干渉などを考慮して決定された予約されている領域もあり得る。勿論、ＴＡまたは切り替え期間または干渉防止が必要とされない場合、図１３に示すように、空白部分またはＧＰ部分が存在しなくてもよい。ＤＬ領域とＵＬ領域の対応関係を直接的に定義または構成することができる。例えば、定義または構成１個の時間ユニット内の１番目のＤＬ領域は、当該時間ユニット内の２番目の（最後の）ＵＬ領域内のアップリンク伝送をスケジューリングするように定義または構成することができる（ここで、当該ＵＬ領域内のアップリンク伝送は、当該ＵＬ領域内の一部のＯＦＤＭまたはＳＣ−ＦＤＭＡシンボルまたは一部のmini-slotを占有すれば、１個のＵＬ領域において、同じまたは異なる端末の複数のアップリンク共有チャネルをＴＤＭモードで伝送することができる。ＵＬ領域長さ全体を占有することもでき、以下同じ）。１個の時間ユニット内の２番目の（最後の）ＤＬ領域の場合、次の時間ユニット内の１番目のＵＬ領域においてアップリンク伝送をスケジューリングする。１個の時間ユニット内の１番目のＤＬ領域内のダウンリンク伝送（ここで、前記ＤＬ領域内のダウンリンク伝送は、前記ＤＬ領域内の一部のＯＦＤＭシンボルまたは一部のmini-slotのみを占有し、ＴＤＭ伝送の場合、１個のＤＬ領域で同じまたは異なる端末の複数のダウンリンク伝送があり得る。ＤＬ領域長さ全体を占有することもできる）のＡＣＫ／ＮＡＣＫは、当該時間ユニット内の２番目の（最後の）ＵＬ領域においてフィードバックされ（ダウンリンク伝送のＡＣＫ／ＮＡＣＫフィードバック情報を搬送するアップリンクチャネルが当該ＵＬ領域内の一部のＯＦＤＭまたはＳＣ−ＦＤＭＡシンボルまたは一部のmini-slotを占有すると、１個のＵＬ領域に、同じまたは異なる端末の複数のＡＣＫ／ＮＡＣＫを搬送するアップリンクチャネルＴＤＭ伝送があり、ＵＬ領域長さ全体を占有することもでき、以下同じ）、１個の時間ユニット内の２番目のＤＬ領域内のダウンリンク伝送のＡＣＫ／ＮＡＣＫは、図１２及び図１３に示すように、次の時間ユニット内の１番目のＵＬ領域においてフィードバックされる。勿論、Ｔの値を定義または構成することもでき、ＤＬ領域後の時間Ｔが離れたＵＬ領域を対応のＵＬ領域として定義する。上記のように事前定義または構成された対応関係の同じ効果を得る。図１２及び図１３示すようにまた、異なるＤＬ領域の長さＴが異なり、スケジューリング関係を定義するためのＴの値は、フィードバック関係を定義するためのＴの値と同じであっても同じでなくてもよい。１個の時間ユニッ���内のＤＬ領域及びＵＬ領域がなるように分割されると、対応するＴの値もまた異なり、例えば、異なるサービスに対して異なるＤＬ領域とＵＬ領域の割り当てがあると、異なるＴの値に対応する。本実施例では、１個の時間ユニットは、１個のスロットまたは１個のサブフレームとすることができる。勿論、他の時間ユニット長さを定義することもできる。
【０１５４】
基地局が上述の割り当てを端末に通知する手法は、実施例１と同じであるため、繰り返して説明しない。
【０１５５】
端末は、構成シグナリングを受信し、ダウンリンク制御チャネルについて検出されるべき特定の構成要素を決定するために時間ユニットでＤＬ領域の対応する割り当てを決定し、ここで、上記基地局のそれぞれの構成に従い、さらに通知内容に従ってＵＬ領域の割り当てをさらに決定し、またはスケジューリング関係に従ってＵＬ領域を直接に暗黙的に決定する。
【０１５６】
端末をスケジューリングする基地局は、１個の時間ユニットで少なくとも１個のＤＬ領域を選択し、選択されたＤＬ領域のダウンリンク制御チャネルサーチスペースで当該端末にダウンリンク制御チャネルを送信して、当該端末が当該選択されたＤＬ領域においてダウンリンク共有チャネルを受信するかまたは対応のＵＬ領域においてアップリンク共有チャネルを伝送するように、スケジューリングする。
【０１５７】
例えば、状況１：基地局は、ＤＬ領域１において、ダウンリンクＤＣＩフォーマットを利用するダウンリンク制御チャネル１を送信し、端末１に、ＤＬ領域１においてダウンリンク共有チャネル１を受信させるようにスケジューリングする。ＤＬ領域２においてダウンリンクＤＣＩフォーマットを利用するダウンリンク制御チャネル２を送信し、端末２に、ＤＬ領域１においてダウンリンク共有チャネル２を受信させるようにスケジューリングする。
【０１５８】
別の例では、状況２：基地局は、ＤＬ領域１において、ダウンリンクＤＣＩフォーマットを利用するダウンリンク制御チャネル１-１を送信し、端末１にＤＬ領域１においてダウンリンク共有チャネル１-１を受信するようにスケジューリングする。ＤＬ領域１においてダウンリンクＤＣＩフォーマットを利用するダウンリンク制御チャネル２-１を送信し、端末２にＤＬ領域１においてダウンリンク共有チャネル２-１を受信させるように、スケジューリングする。ＤＬ領域２においてダウンリンクＤＣＩフォーマットを利用するダウンリンク制御チャネル１-２を送信し、端末１にＤＬ領域２においてダウンリンク共有チャネル１-２を受信するようにスケジューリングする。ＤＬ領域２においてダウンリンクＤＣＩフォーマットを利用するダウンリンク制御チャネル２-２を送信し、端末に２ＤＬ領域２においてダウンリンク共有チャネル２-２を受信させるようにスケジューリングする。
【０１５９】
別の例では、状況３：基地局は、ＤＬ領域１において、アップリンクＤＣＩフォーマットを利用するダウンリンク制御チャネル１を送信し、端末１に当該時間ユニット内のＵＬ領域２においてアップリンク共有チャネル１を送信させるようにスケジューリングする。ＤＬ領域２においてアップリンクＤＣＩフォーマットを利用するダウンリンク制御チャネル２を送信し、端末２に次の時間ユニット内のＵＬ領域１においてアップリンク共有チャネル２を送信させるようにスケジューリングする。
【０１６０】
別の例では、状況４：基地局は、ＤＬ領域１において、アップリンクＤＣＩフォーマットを利用するダウンリンク制御チャネル１-１を送信し、端末１に当該時間ユニット内のＵＬ領域２においてアップリンク共有チャネル１-１を送信させるようにスケジューリングする。ＤＬ領域１においてアップリンクＤＣＩフォーマットを利用するダウンリンク制御チャネル２-１を送信し、端末２に当該時間ユニット内のＵＬ領域２においてアップリンク共有チャネル２-１を送信させるようにスケジューリングする。ＤＬ領域２においてアップリンクＤＣＩフォーマットを利用するダウンリンク制御チャネル１-２を送信し、端末１に次の時間ユニット内のＵＬ領域１においてアップリンク共有チャネル１-２を送信させるようにスケジューリングする。ＤＬ領域２においてアップリンクＤＣＩフォーマットを利用するダウンリンク制御チャネル２-２を送信し、端末２に次の時間ユニット内のＵＬ領域１においてアップリンク共有チャネル２-２を送信させるようにスケジューリングする。
【０１６１】
勿論、上述の状況は組み合わせて存在することができ、例えば、各端末について、アップリンクとダウンリンクの両方のスケジュール送信があり得る。即ち、状況１と３の両方、または状況２と４の両方があり得る。別の例では、１個の端末について、基地局は、１個の時間ユニット内に１個のＤＬ領域のみでダウンリンク制御チャネルを送信することができる（アップリンクまたはダウンリンクＤＣＩフォーマットを利用するダウンリンク制御チャネルを含み、以下同じ）。他の１個の時間ユニットで２つのＤＬ領域の両方でダウンリンク制御チャネルを送信することができる。
【０１６２】
勿論、基地局は、端末によって検出されるＤＬ領域をさらに事前構成することができ、この構は、ＲＲＣシグナリングを介して半静的に行うことができ、または構成シグナリングを周期的に送信することによって行うことができる。実際には、必要に応じて周期性を変更することができる。例えば、一部の端末は、ＤＬ領域１のみにおいてダウンリンク制御チャネルを検出するように構成され、他の一部の端末は、ＤＬ領域２のみにおいてダウンリンク制御チャネルを検出するように構成される。基地局が端末のアップリンクまたはダウンリンク伝送をスケジューリングしようとすれば、これらの端末のために構成されたＤＬ検出領域のみにおいて、これらの端末のダウンリンク制御チャネルを送信する。
【０１６３】
端末は、決定されたＤＬ及びＵＬ領域の割り当てに従って、１個の時間ユニット内の各ＤＬ領域においてダウンリンク制御チャネルをブラインド検出する。自分のダウンリンクＤＣＩフォーマットを利用するダウンリンク制御チャネルが検出された場合、前記ＤＬ領域において対応のダウンリンク共有チャネルを受信し、前記ダウンリンク共有チャネルのＡＣＫ／ＮＡＣＫフィードバック情報を生成する（図に示すＡＮフィードバック）。前記ＤＬ領域に対応するＵＬ領域において、ＡＣＫ／ＮＡＣＫフィードバックを行う。ＡＣＫ／ＮＡＣＫフィードバックが、同じＵＬ領域に対応する複数のＤＬ領域に対して行われる場合、複数のＤＬ領域内のＡＣＫ／ＮＡＣＫフィードバック情報は、ＵＬ領域内の同じアップリンクチャネルを介してフィードバックされ得る。または、異なるアップリンクチャネルを介してフィードバックされ得る。ここで、異なるアップリンクチャネルがある場合、異なる時点で送信されるアップリンクチャネル、同じ時点で異なる周波数リソースで送信されるアップリンクチャネル、または、同じ時間及び周波数リソースで符号分割モードで伝送されるアップリンクチャネルであることができる。自分のアップリンクＤＣＩフォーマットを利用するダウンリンク制御チャネルが検出されると、前記ＤＬ領域に対応するＵＬ領域において、対応のアップリンク共有チャネルを送信する。
【０１６４】
例えば、基地局側の状況１に対応して：端末１は、ＤＬ領域１及び２でダウンリンクＤＣＩフォーマットを利用するダウンリンク制御チャネルを検出し、ＤＬ領域１のみにおいてダウンリンクＤＣＩフォーマットを利用するダウンリンク制御チャネル１が検出されると、前記ダウンリンク制御チャネル１により搬送されたスケジューリング情報に従って、ＤＬ領域１において対応のダウンリンク共有チャネル１を受信し、ＡＣＫ／ＮＡＣＫフィードバック情報を生成し、当該時間ユニット内のＵＬ領域２においてＡＣＫ／ＮＡＣＫフィードバックを行う。端末２は、ＤＬ領域１及び２においてダウンリンクＤＣＩフォーマットを利用するダウンリンク制御チャネルを検出し、ＤＬ領域２のみにおいてダウンリンクＤＣＩフォーマットを利用するダウンリンク制御チャネル２を検出すると、前記ダウンリンク制御チャネル２により搬送されたスケジューリング情報に従って、ＤＬ領域２において対応のダウンリンク共有チャネル２を受信し、ＡＣＫ／ＮＡＣＫフィードバック情報を生成し、次の時間ユニット内のＵＬ領域１においてＡＣＫ／ＮＡＣＫフィードバックを行う。この際、端末１及び端末２の伝送パターンは、図１４、１５のＡＮフィードバック関係によって示される。ここで、図１４は、実施例２による、ＴＡ及び/または切り替え期間を有する端末側状況１または３の概略図である。図１５は、実施例２による、ＴＡ及び/または切り替え期間を有しない端末側状況１または３の概略図である。。
【０１６５】
別の例では、基地局側の状況２に対応して：端末１は、ＤＬ領域１及び２でダウンリンクＤＣＩフォーマットを利用するダウンリンク制御チャネルを検出し、ＤＬ領域１においてダウンリンクＤＣＩフォーマットを利用するダウンリンク制御チャネル１-１を検出すると、前記ダウンリンク制御チャネル１-１により搬送されたスケジューリング情報に従って、ＤＬ領域１において対応のダウンリンク共有チャネル１-１を受信し、ＡＣＫ／ＮＡＣＫフィードバック情報を生成し、当該時間ユニット内のＵＬ領域２においてＡＣＫ／ＮＡＣＫフィードバックを行う。ＤＬ領域２においてダウンリンクＤＣＩフォーマットを利用するダウンリンク制御チャネル１-２を検出すると、前記ダウンリンク制御チャネル１-２により搬送されたスケジューリング情報に従って、ＤＬ領域２において対応のダウンリンク共有チャネル１-２を受信し、ＡＣＫ／ＮＡＣＫフィードバック情報を生成し、次の時間ユニット内のＵＬ領域１においてＡＣＫ／ＮＡＣＫフィードバックを行う。端末２は、ＤＬ領域１及び２においてダウンリンクＤＣＩフォーマットを利用するダウンリンク制御チャネルを検出し、ＤＬ領域１においてダウンリンクＤＣＩフォーマットを利用するダウンリンク制御チャネル２-１を検出すると、前記ダウンリンク制御チャネル２-１により搬送されたスケジューリング情報に従って、ＤＬ領域１において対応のダウンリンク共有チャネル２-１を受信し、ＡＣＫ／ＮＡＣＫフィードバック情報を生成し、当該時間ユニット内のＵＬ領域２においてＡＣＫ／ＮＡＣＫフィードバックを行う。ＤＬ領域２においてダウンリンクＤＣＩフォーマットを利用するダウンリンク制御チャネル２-２を検出すると、前記ダウンリンク制御チャネル２-２により搬送されたスケジューリング情報に従って、ＤＬ領域２において対応のダウンリンク共有チャネル２-２を受信し、ＡＣＫ／ＮＡＣＫフィードバック情報を生成し、次の時間ユニット内のＵＬ領域１においてＡＣＫ／ＮＡＣＫフィードバックを行う。この際、端末１及び端末２の伝送パターンは、図８のＡＮフィードバック関係によって示される。ここで、図１６は、実施例２による、ＴＡ及び/または切り替え期間を有する端末側状況２または４の概略図である。図１７は、実施例２による、ＴＡ及び/または切り替え期間を有しない端末側状況２または４の概略図である。
【０１６６】
別の例では、基地局側の状況３に対応して：端末１は、ＤＬ領域１及び２においてアップリンクＤＣＩフォーマットを利用するダウンリンク制御チャネルを検出し、ＤＬ領域１のみにおいてアップリンクＤＣＩフォーマットを利用するダウンリンク制御チャネル１を検出すると、前記ダウンリンク制御チャネル１により搬送されたスケジューリング情報に従って、当該時間ユニット内のＵＬ領域２において対応のアップリンク共有チャネル１を送信する。 端末２は、ＤＬ領域１及び２においてアップリンクＤＣＩフォーマットを利用するダウンリンク制御チャネルを検出し、ＤＬ領域２のみにおいてアップリンクＤＣＩフォーマットを利用するダウンリンク制御チャネル２を検出すると、前記ダウンリンク制御チャネル２により搬送されたスケジューリング情報に従って、次の時間ユニット内のＵＬ領域１において対応のアップリンク共有チャネル２を送信する。この際、端末１及び端末２の伝送パターンは、図１４、１５のＵＬスケジューリング関係によって示される。
【０１６７】
別の例では、基地局側の状況４に対応して：端末１は、ＤＬ領域１及び２においてアップリンクＤＣＩフォーマットを利用するダウンリンク制御チャネルを検出し、ＤＬ領域１においてアップリンクＤＣＩフォーマットを利用するダウンリンク制御チャネル１-１を検出すると、前記ダウンリンク制御チャネル１-１により搬送されたスケジューリング情報に従って、当該時間ユニット内のＵＬ領域２において対応のアップリンク共有チャネル１-１を送信する。ＤＬ領域２においてアップリンクＤＣＩフォーマットを利用するダウンリンク制御チャネル１-２を検出すると、前記ダウンリンク制御チャネル１-２により搬送されたスケジューリング情報に従って、次の時間ユニット内のＵＬ領域１において対応のアップリンク共有チャネル１-２を送信する。端末２は、ＤＬ領域１及び２においてアップリンクＤＣＩフォーマットを利用するダウンリンク制御チャネルを検出し、ＤＬ領域１においてアップリンクＤＣＩフォーマットを利用するダウンリンク制御チャネル２-１を検出すると、前記ダウンリンク制御チャネル２-１により搬送されたスケジューリング情報に従って、当該時間ユニット内のＵＬ領域２において対応のアップリンク共有チャネル２-１を送信する。ＤＬ領域２においてアップリンクＤＣＩフォーマットを利用するダウンリンク制御チャネル２-２を検出すると、前記ダウンリンク制御チャネル２-２により搬送されたスケジューリング情報に従って、次の時間ユニット内のＵＬ領域１において対応のアップリンク共有チャネル２-２を送信する。この際、端末１及び端末２の伝送パターンは、図１６、１７のＵＬスケジューリング関係によって示される。
【０１６８】
勿論、端末における特定の受信は、基地局による実際のスケジューリングに依存し、上記の状況の組み合わせがあり得る。例えば、各端末について、アップリンクとダウンリンクの両方のスケジュール送信があり得る。即ち、状況１と３の両方、または状況２と４の両方があり得る。別の例では、１個の端末は、１個の時間ユニットで１個のＤＬ領域のみにおいてダウンリンク制御チャネルを検出し（アップリンクまたはダウンリンクＤＣＩフォーマットを利用するダウンリンク制御チャネルを含み、以下同じ）、他の１個の時間ユニットで２つのＤＬ領域の両方でダウンリンク制御チャネルを検出する。
【０１６９】
勿論、基地局がＤＬ領域を端末によって検出されるように事前に構成する場合、端末は、構成されたＤＬ領域のみにおいてダウンリンク制御チャネルを検出する。そして、検出されたダウンリンク制御チャネルに従って、前記ＤＬ領域に対応するＵＬ領域において、ＡＣＫ／ＡＮＣＫフィードバック及び/またはアップリンク共有チャネル伝送を行う。例えば、端末１は、ＤＬ領域１のみにおいてダウンリンク制御チャネルを検出するように構成されると、端末１は、ＤＬ領域１のみにおいてダウンリンク制御チャネルを検出し、検出されたダウンリンク制御チャネルに従って、当該時間ユニット内のＵＬ領域においてＡＣＫ／ＡＮＣＫフィードバック及び/またはアップリンク共有チャネル伝送を行うことを決定する。端末２は、ＤＬ領域２のみにおいてダウンリンク制御チャネルを検出するように構成されると、端末２は、ＤＬ領域２のみにおいてダウンリンク制御チャネルを検出し、検出されたダウンリンク制御チャネルに従って、次の時間ユニット内のＵＬ領域においてＡＣＫ／ＡＮＣＫフィードバック及び/またはアップリンク共有チャネル伝送を行うことを決定する。
【０１７０】
基地局側は、送信したダウンリンク制御チャネル状況に従って、対応のＵＬ領域において前記ＤＬ領域内のダウンリンク伝送に対応するＡＣＫ／ＮＡＣＫフィードバック情報及び/または前記ＤＬダウンリンク領域で送信されたアップリンクＤＣＩフォーマットを利用するダウンリンク制御チャネルによりスケジューリングされたアップリンク共有チャネルを受信する。 
【０１７１】
図１８は、実施例２による、異なるサービス場合の、ＴＡ及び/またはは切り替え期間を有するシステムのアップリンクリソースとダウンリンクリソースとの間の割り当て及びそれらの間の対応関係の概略図である。図１９は、実施例２による、異なるサービス場合の、ＴＡ及び/または切り替え期間を有しないシステムのアップリンクリソースとダウンリンクリソースとの間の割り当て及びそれらの間の対応関係の概略図である。例えば、本実施例のパターンが、本実施例のパターンが対応するｅＭＢＢサービスに対して定義されている場合、システム内にＵＲＬＬＣサービスもある場合、図１８及び１９に示すようなパターンをＵＲＬＬＣサービスに対して定義することができる。即ち、１個の時間ユニットにおいて１個のＤＬ領域及び１個のＵＬ領域が定義され、ＤＬ領域はｅＭＢＢサービスの全ＤＬ領域、またはその部分集合であり、ＵＬ領域はｅＭＢＢサービスの全ＵＬ領域または部分集合またはｅＭＢＢ ＵＬ領域より大きい。これは、ＵＲＬＬＣサービスのフィードバック、スケジューリング遅延、実際の需要などに応じる。最後のダウンリンクスケジューリングユニットが、現在の時間ユニット内のＵＬ領域においてフィードバックまたはアップリンク共有チャネル伝送を行うことをできるとの条件を満たす場合である。こうして、ＵＲＬＬＣサービスの場合、１個の時間ユニットでアップリンクスケジューリングまたはダウンリンクフィードバックを行うことを確保する。勿論、システムにおいてｅＭＢＢ及びＵＲＬＬＣに対して、ＤＬ及びＵＬ割り当てを定義してもよく、ｅＭＢＢサービスの場合、上述の過程に対応するフィードバック及びスケジューリング関係に従って動作すればよい。ＵＲＬＬＣ場合の１個の時間ユニット内のすべてのＤＬ領域内のダウンリンク伝送は、現在の時間ユニット内のＵＬ領域においてフィードバックされ、または１個の時間ユニット内のすべてのＤＬ領域内のアップリンクＤＣＩフォーマットを利用するダウンリンク制御チャネルは、現在の時間ユニット内のＵＬ領域においてアップリンク共有チャネル伝送を行うようにスケジューリングすることができる。即ち、この際、ＵＲＬＬＣ場合の１個の時間ユニットにおけるＤＬ終了位置とＵＬ開始位置との関係が、フィードバック要求とスケジューリング遅延を満たすために必要となる。こうして、フィードバック及びアップリンクスケジューリングは、すべてのＤＬ領域について現在の時間ユニットで行うことができ、それによってスケジューリング及びフィードバック遅延を短縮する。異なるＵＲＬＣサービスのために定義されたＤＬ領域及びフィードバック／スケジューリング関係によるＵＲＬＬＣサービスの動作フローは、異なるフィードバック及びスケジューリング遅延が定義されることを除いて、上記と同じであるので、ここでの繰り返しの説明は省略する。
【０１７２】
同様な発明思想に基づき、本発明の実施例は、データ伝送のための装置をさらに提供し、これらの装置の課題解決原理は、データ伝送のための方法と類似するため、これらの装置の実施は、方法の実施を参照することができ、ここでの繰り返しの説明は省略する。
【０１７３】
図２０は、基地局側のデータ伝送のための装置構成図である。図に示すように、
少なくとも２個のＤＬ領域が含まれる１個の時間ユニットにおいてＤＬ領域を割り当てるように構成される、割り当てモジュール２００１と、
構成シグナリングにより割り当てられたＤＬ領域を端末に通知するように構成される通知モジュール２００２とを備える。
【０１７４】
実施では、また、通知モジュールは、前記構成シグナリングにより割り当てられたＤＬ領域を端末に通知する場合、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知する。
【０１７５】
実施では、通知モジュールは、さらに、前記構成シグナリングにより、１個の時間ユニット内のＵＬ領域及び/またはＧＰ領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知する。
【０１７６】
実施では、また、１個の時間ユニット内のＵＬ領域は、アップリンクスケジューリングシグナリングに従って決定され、またはダウンリンク伝送のＡＣＫ／ＮＡＣＫがフィードバックされる位置に従って決定される。
【０１７７】
実施では、通知モジュールは、さらに、高位層シグナリングまたは物理ダウンリンク制御シグナリングにより、前記構成シグナリングを送信し、ユニキャストまたはブロードキャストまたはグループキャスト形式で前記構成シグナリングを送信する。
【０１７８】
実施では、１個の時間ユニット内の少なくとも１個のＤＬ領域において、前記端末にダウンリンク制御チャネルを送信するように構成される、伝送モジュールをさらに備える。
【０１７９】
実施では、前記伝送モジュールは、１個の時間ユニット内の少なくとも１個のＤＬ領域において、前記端末にダウンリンク制御チャネルを送信する前に、１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域である。
前記検出ＤＬ領域が構成または定義された場合、前記端末に対応する検出ＤＬ領域のうちの少なくとも１個のＤＬ領域において、前記端末にダウンリンク制御チャネルを送信する。
【０１８０】
実施では、伝送モジュールは、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信する。
【０１８１】
実施では、以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。
【０１８２】
実施では、前記１個の時間ユニットは、１つ以上のスロットであるか、または、１つ以上のサブフレームである。
【０１８３】
図２１は、端末側のデータ伝送のための装置構成図である。図に示すように、 
構成シグナリングを受信するように構成される受信モジュール２１０１と、
前記構成シグナリングに従って１個の時間ユニットにおいて割り当てられたＤＬ領域を決定するように構成される決定モジュール２１０２とを備える。
前記１個の時間ユニットに少なくとも２個のＤＬ領域が含まれる。
【０１８４】
実施では、決定モジュールは、前記構成シグナリングに従って、１個の時間ユニットにおいて割り当てられたＤＬ領域を決定する場合、
前記構成シグナリングにより、１個の時間ユニット内のＤＬ領域の長さ及び位置を決定し、または、
前記構成シグナリングにより、通知複数の所定のパターンのうちの１つを決定し、各パターンに１個の時間ユニット内のＤＬ領域の長さ及び位置の割り当てが含まれ、または、
前記構成シグナリングにより、１個の時間ユニット内のＤＬ領域の開始位置または終了位置を決定する。
【０１８５】
実施では、決定モジュールは、さらに、構成シグナリングに従って、１個の時間ユニット内のＵＬ領域及び/またはＧＰ領域を決定する。
ここで、前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、 
前記構成シグナリングにより、１個の時間ユニット内のＵＬ領域の開始または終了位置を通知し、または、
構成シグナリングにより通知された指示情報は、前記端末に、事前に定義した規則で前記指示情報に従って、１個の時間ユニット内のＵＬ領域を決定させるようにする。
【０１８６】
実施では、前記決定モジュールは、さらに、アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定する。
【０１８７】
実施では、受信モジュールは、さらに、高位層シグナリングまたは物理ダウンリンク制御シグナリングにより通知された前記構成シグナリングを受信し、ユニキャストまたはブロードキャストまたはグループキャスト形式で通知された前記構成シグナリングを受信する。
【０１８８】
実施では、１個の時間ユニット内の各ＤＬ領域または各検出ＤＬ領域において、ダウンリンク制御チャネルを検出するように構成される検出モジュールをさらに備える。
【０１８９】
実施では、検出モジュールは、１個の時間ユニット内の各検出ＤＬ領域においてダウンリンク制御チャネルを検出する前に、構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域である。
【０１９０】
実施では、検出モジュールは、さらに、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信する。
【０１９１】
実施では、以下のスキームのうちの１つまたは組み合わせでＤＬ領域に対応するＵＬ領域を決定する。
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。 
【０１９２】
実施では、前記１個の時間ユニットは、１つ以上のスロットであるか、または、１つ以上のサブフレームである。
【０１９３】
説明の便宜上、上記の装置のそれぞれの構成要素は、それぞれそれぞれのモジュールまたはユニットとして機能的に説明されてきた。勿論、本発明の実施において、それぞれのモジュールまたはユニットの機能は、ソフトウェアまたはハードウェアの同一の１つまたは複数の部分で実行することができる。
【０１９４】
以下のように、本発明に係る実施例の技術的解決策を実施することができる。
【０１９５】
図２２は、基地局構成図である。図に示すように、基地局は、プロセッサ２２００と、メモリ２２２０と、送受信機２２１０とを備える。
【０１９６】
前記プロセッサ２２００は、メモリ２２２０に格納されたプログラムを読み出して、１個の時間ユニットにおいてＤＬ領域を割り当て、前記１個の時間ユニットに少なくとも２個のＤＬ領域が含まれる。
【０１９７】
前記送受信機２２１０は、プロセッサ２２００の制御下でデータを送受信するように構成され、構成シグナリングにより割り当てられたＤＬ領域を端末に通知する。
【０１９８】
実施では、前記構成シグナリングにより割り当てられたＤＬ領域を端末に通知することは、具体的に、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知する。
【０１９９】
実施では、前記構成シグナリングにより１個の時間ユニット内のＵＬ領域及び/またはＧＰ領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知する。
【０２００】
実施では、また、１個の時間ユニット内のＵＬ領域は、アップリンクスケジューリングシグナリングに従って決定され、またはダウンリンク伝送のＡＣＫ／ＮＡＣＫがフィードバックされる位置に従って決定される。
【０２０１】
実施では、前記構成シグナリングは、高位層シグナリングまたは物理ダウンリンク制御シグナリングにより通知され、前記構成シグナリングは、ユニキャストまたはブロードキャストまたはグループキャスト形式で通知される。
【０２０２】
実施では、また、１個の時間ユニット内の少なくとも１個のＤＬ領域において、前記端末にダウンリンク制御チャネルを送信する。
【０２０３】
実施では、１個の時間ユニット内の少なくとも１個のＤＬ領域において、前記端末にダウンリンク制御チャネルを送信する前に、
１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信する。
【０２０４】
実施では、また、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信する。
【０２０５】
実施では、以下のスキームのうちの１つまたは組み合わせでＤＬ領域に対応するＵＬ領域を決定する。
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、各ＤＬ領域は、１つ以上の定義または構成されたＵＬ領域に対応する。
【０２０６】
実施では、前記１個の時間ユニットは、１つ以上のスロットであるか、または、１つ以上のサブフレームである。
【０２０７】
ここで、図２２において、バスアーキテクチャは、いずれ数の相互接続するバス及びブリッジを備える。具体的に、プロセッサ２２００が代表となる１つまたは複数のプロセッサ及びメモリ８２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機２２１０は、複数の部品であることができ、即ち、送信機及び受信機を備え、伝送媒体を介して他の装置と通信するユニットを提供する。プロセッサ２２００は、バスアーキテクチャ及び通常の処理を監視し、メモリ２２２０は、プロセッサ２２００が動作する際に利用するデータを記憶することができる。
【０２０８】
図２３は端末構成図である。図に示すように、端末は、プロセッサ２３００と、メモリ２３２０と、送受信機２３１０とを備える。
【０２０９】
前記プロセッサ２３００は、メモリ２３２０に格納されたプログラムを読み出して、構成シグナリングに従って、１個の時間ユニットにおいて割り当てられたＤＬ領域を決定し、前記１個の時間ユニットに少なくとも２個のＤＬ領域が含まれる。
【０２１０】
前記送受信機２３１０は、プロセッサ２３００の制御下でデータを送受信するように構成され、構成シグナリングを受信する。
【０２１１】
実施では、前記構成シグナリングに従って１個の時間ユニットにおいて割り当てられたＤＬ領域を決定することは、具体的に、
前記構成シグナリングにより、１個の時間ユニット内のＤＬ領域の長さ及び位置を通知し、または、
前記構成シグナリングにより、複数の所定のパターンのうちの１つを通知し、各パターンに１個の時間ユニット内のＤＬ領域の長さ及び位置の割り当てが含まれ、または、
前記構成シグナリングにより、１個の時間ユニット内のＤＬ領域の開始位置または終了位置を通知する。
【０２１２】
実施では、前記構成シグナリングに従って、１個の時間ユニットにおいて割り当てられたＤＬ領域を決定する場合、前記構成シグナリングに従って１個の時間ユニット内のＵＬ領域及び/またはＧＰ領域を決定する。
ここで、前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、
前記構成シグナリングにより１個の時間ユニット内のＵＬ領域の開始または終了位置を通知し、または、 
構成シグナリングにより通知された指示情報は、前記端末に、事前に定義した規則で前記指示情報に従って、１個の時間ユニット内のＵＬ領域を決定させるようにする。
【０２１３】
実施では、また、前記端末アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定する。
【０２１４】
実施では、前記構成シグナリングは、高位層シグナリングまたは物理ダウンリンク制御シグナリングにより通知され、前記構成シグナリングは、ユニキャストまたはブロードキャストまたはグループキャスト形式で通知される。
【０２１５】
実施では、また、１個の時間ユニット内の各ＤＬ領域または各検出ＤＬ領域において、ダウンリンク制御チャネルを検出する。
【０２１６】
実施では、１個の時間ユニット内の各検出ＤＬ領域においてダウンリンク制御チャネルを検出する前に、構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域である。
【０２１７】
実施では、また、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信する。
【０２１８】
実施では、以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応する。 
【０２１９】
実施では、前記１個の時間ユニットは、１つ以上のスロットであるか、または、１つ以上のサブフレームである。
【０２２０】
ここで、図２３では、バスアーキテクチャは、プロセッサ２３００によって表される１つまたは複数のプロセッサ、およびメモリ２３２０によって表される１つまたは複数のメモリを含むさまざまな回路を特に互いに接続するための任意の数の相互接続バスおよびブリッジを含むことができる。バスアーキテクチャは、例えば、外部設備、電圧レギュレーター、電力管理回路などであり、これらはすべて当技術分野で周知であり、したがって、これに関するさらなる説明は省略する。バスインタフェースはインタフェースとして機能する。送受信機２３１０は、送信媒体を介して他の様々な装置と通信するためのユニットである、いくつかの要素に、例えば送信機および受信機とにすることができる。異なるユーザ機器の場合、ユーザインターフェース２３３０はまた、必要に応じて装置が内部的および外部的に接続されるインターフェースであり得、接続される装置は、キーパッド、モニタ、スピーカ、マイクロフォン、ジョイスティックを含むが、これらに限定されない。
【０２２１】
プロセッサ２３００は、バスアーキテクチャ及び通常の処理を監視し、メモリ２３２０は、プロセッサ２３００が動作する際に利用するデータを記憶することができる。
【０２２２】
要約すると、本発明に係る実施例の技術的解決策によれば、１個の時間ユニットにおいて少なくとも２個のＤＬ検出領域を定義し、端末は、各検出領域においてダウンリンク伝送を検出し、検出される場合、前記ダウンリンク領域に対応するアップリンク領域においてＡＣＫ／ＮＡＣＫフィードバックを行う。本発明に係る実施例のデータ伝送案は、１個の時間ユニットを複数のダウンリンク領域に分割することにより、各ダウンリンク領域がそれぞれフィードバック及びスケジューリング関係を定義することができ、スケジューリングの柔軟性及びシステムリソースの利用率を向上する。
【０２２３】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることが理解できるはずである。さらに、本発明は、一つまたは複数のコンピュータプログラム製品の形式を採用できる。当該製品はコンピュータ使用可能なプログラムコードを含むコンピュータ読み取り可能な記憶媒体（ディスク記憶装置と光学記憶装置等を、含むがそれとは限らない）において実施する。
【０２２４】
以上は本発明の実施形態の方法、装置（システム）、及びコンピュータプログラム製品のフロー図及び/またはブロック図によって、本発明を記述した。理解すべきことは、コンピュータプログラム指令によって、フロー図及び/またはブロック図における各フロー及び/またはブロックと、フロー図及び/またはブロック図におけるフロー及び/またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフロー及び/またはブロック図における一つまたは複数のブロックに指定する機能を実現する。  
【０２２５】
これらのコンピュータプログラム指令は又、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフロー及び/またはブロック図における一つまたは複数のブロックに指定する機能を実現する。
【０２２６】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフロー及び/またはブロック図における一つまたは複数のブロックに指定する機能を実現する。  
上述した実施形態に記述された技術的な解決手段を改造し、またはその中の一部の技術要素を置換することもできる。そのような、改造と置換は本発明の各実施形態の技術の範囲から逸脱するとは見なされない。
【０２２７】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。  
【０２２８】
本出願は、２０１６年９月２３日に中国特許局に提出し、出願番号が２０１６１０８４９７１６.８であり、発明名称が「データ伝送のための方法及び装置」との中国特許出願を基礎とする優先権を主張し、その開示の総てをここに取り込む。
【図１】
2019533352.tif 000005
【図２】
2019533352.tif 000006
【図３】
2019533352.tif 000007
【図４】
2019533352.tif 000008
【図５】
2019533352.tif 000009
【図６】
2019533352.tif 000010
【図７】
2019533352.tif 000011
【図８】
2019533352.tif 000012
【図９】
2019533352.tif 000013
【図１０】
2019533352.tif 000014
【図１１】
2019533352.tif 000015
【図１２】
2019533352.tif 000016
【図１３】
2019533352.tif 000017
【図１４】
2019533352.tif 000018
【図１５】
2019533352.tif 000019
【図１６】
2019533352.tif 000020
【図１７】
2019533352.tif 000021
【図１８】
2019533352.tif 000022
【図１９】
2019533352.tif 000023
【図２０】
2019533352.tif 000024
【図２１】
2019533352.tif 000025
【図２２】
2019533352.tif 000026
【図２３】
2019533352.tif 000027
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
少なくとも２個のＤＬ領域が含まれる１個の時間ユニットにおいてダウンリンクＤＬ領域を割り当てるステップと、
構成シグナリングにより割り当てられたＤＬ領域を端末に通知するステップとを備えることを特徴とするデータ伝送のための方法。
【請求項２】
前記構成シグナリングにより割り当てられたＤＬ領域を端末に通知する場合、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知することを特徴とする請求項１に記載のデータ伝送のための方法。
【請求項３】
前記構成シグナリングにより１個の時間ユニット内のアップリンクＵＬ領域及び/またはガード期間（ＧＰ）領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知することを特徴とする請求項１に記載のデータ伝送のための方法。
【請求項４】
１個の時間ユニット内のＵＬ領域は、アップリンクスケジューリングシグナリングに従って決定され、またはダウンリンク伝送のＡＣＫ／ＮＡＣＫがフィードバックされる位置に従って決定されることを特徴とする請求項１に記載のデータ伝送のための方法。
【請求項５】
１個の時間ユニット内の少なくとも１個のＤＬ領域において、前記端末にダウンリンク制御チャネルを送信することを特徴とする請求項１ないし請求項４のいずれか１項に記載のデータ伝送のための方法。
【請求項６】
１個の時間ユニット内の少なくとも１個のＤＬ領域において、前記端末にダウンリンク制御チャネルを送信する前に、
１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信することを特徴とする請求項５に記載のデータ伝送のための方法。
【請求項７】
前記ダウンリンク制御チャネルにダウンリンクダウンリンク制御情報（ＤＣＩ）フォーマットが利用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信することを特徴とする請求項５または請求項６に記載のデータ伝送のための方法。
【請求項８】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬ領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、各ＤＬ領域は、１つ以上の定義または構成されたＵＬ領域に対応することを特徴とする請求項７に記載のデータ伝送のための方法。
【請求項９】
構成シグナリングを受信するステップと、
前記構成シグナリングに従って１個の時間ユニットにおいて割り当てられたＤＬ領域を決定するステップと
を備え、
前記１個の時間ユニットに少なくとも２個のＤＬ領域が含まれることを特徴とするデータ伝送のための方法。
【請求項１０】
前記構成シグナリングに従って１個の時間ユニットにおいて割り当てられたＤＬ領域を決定する場合、
前記構成シグナリングにより、１個の時間ユニット内のＤＬ領域の長さ及び位置を通知し、または、
前記構成シグナリングにより、複数の所定のパターンのうちの１つを通知し、各パターンに１個の時間ユニット内のＤＬ領域の長さ及び位置の割り当てが含まれ、または、
前記構成シグナリングにより、１個の時間ユニット内のＤＬ領域の開始位置または終了位置を通知することを特徴とする請求項９に記載のデータ伝送のための方法。
【請求項１１】
前記構成シグナリングに従って、１個の時間ユニットにおいて割り当てられたＤＬ領域を決定する場合、
前記構成シグナリングに従って１個の時間ユニット内のＵＬ領域及び/またはＧＰ領域を決定し、
前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、
前記構成シグナリングにより、１個の時間ユニット内のＵＬ領域の開始または終了位置を通知し、または、 
構成シグナリングにより通知された指示情報は、前記端末に、事前に定義した規則で前記指示情報に従って、１個の時間ユニット内のＵＬ領域を決定させるようにすることを特徴とする請求項９に記載のデータ伝送のための方法。
【請求項１２】
前記端末アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定することを特徴とする請求項９に記載のデータ伝送のための方法。
【請求項１３】
１個の時間ユニット内の各ＤＬ領域または各検出ＤＬ領域において、ダウンリンク制御チャネルを検出することを特徴とする請求項９ないし請求項１２のいずれか１項に記載のデータ伝送のための方法。
【請求項１４】
１個の時間ユニット内の各検出ＤＬ領域においてダウンリンク制御チャネルを検出する前に、
構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域であることを特徴とする請求項１３に記載のデータ伝送のための方法。
【請求項１５】
前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信することを特徴とする請求項１３または請求項１４に記載のデータ伝送のための方法。
【請求項１６】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬフィードバック領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応することを特徴とする請求項１５に記載のデータ伝送のための方法。
【請求項１７】
少なくとも２個のＤＬ領域が含まれる１個の時間ユニットにおいてＤＬ領域を割り当てるように構成される、割り当てモジュールと、
構成シグナリングにより割り当てられたＤＬ領域を端末に通知するように構成される、通知モジュールとを備えることを特徴とするデータ伝送のための装置。
【請求項１８】
前記通知モジュールは、前記構成シグナリングにより割り当てられたＤＬ領域を端末に通知する場合、
端末に１個の時間ユニット内のＤＬ領域の長さ及び位置を通知し、または、
端末に複数の所定のパターンのうちの１つを通知し、各パターンに１個の時間ユニット内のＤＬ領域の長さ及び位置の割り当てが含まれ、または、
端末に１個の時間ユニット内のＤＬ領域の開始または終了位置を通知し、
及び/または、
前記通知モジュールは、前記構成シグナリングにより、１個の時間ユニット内のＵＬ領域及び/またはＧＰ領域を通知する場合、
端末に１個の時間ユニット内のＵＬ領域の長さ及び位置を通知し、または、
端末に複数の所定のパターンのうちの１つを通知し、各パターンに１個の時間ユニット内のＵＬ領域の長さ及び位置の割り当てが含まれ、または、
端末に１個の時間ユニット内のＵＬ領域の開始または終了位置を通知し、または、
端末が事前に定義した規則の下で前記指示情報に従って１個の時間ユニット内のＵＬ領域を決定するように、指示情報を端末に通知することを特徴とする請求項１７に記載のデータ伝送のための装置。
【請求項１９】
１個の時間ユニット内のＵＬ領域は、アップリンクスケジューリングシグナリングに従って決定され、またはダウンリンク伝送のＡＣＫ／ＮＡＣＫがフィードバックされる位置に従って決定されることを特徴とする請求項１７に記載のデータ伝送のための装置。
【請求項２０】
１個の時間ユニット内の少なくとも１個のＤＬ領域において、前記端末にダウンリンク制御チャネルを送信するように構成される、伝送モジュールをさらに備えることを特徴とする請求項１７ないし請求項１９のいずれか１項に記載のデータ伝送のための装置。
【請求項２１】
前記伝送モジュールは、１個の時間ユニット内の少なくとも１個のＤＬ領域において、前記端末にダウンリンク制御チャネルを送信する前に、
１個の時間ユニットで端末の検出ＤＬ領域を決定し、構成情報により端末に通知し、または事前の定義に従って１個の時間ユニット内の検出ＤＬ領域を決定し、前記検出ＤＬ領域は、１個の時間ユニット内のすべてのＤＬ領域または一部のＤＬ領域であり、
前記検出ＤＬ領域が構成または定義された場合、前記端末に対応する検出ＤＬ領域のうちの少なくとも１個のＤＬ領域において、前記端末にダウンリンク制御チャネルを送信することを特徴とする請求項２０に記載のデータ伝送のための装置。
【請求項２２】
前記伝送モジュールは、前記ダウンリンク制御チャネルが使用される場合、前記ダウンリンク制御チャネルを送信するためのＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを受信し、または、
前記ダウンリンク制御チャネルにアップリンクＤＣＩフォーマットが使用される場合、前記ダウンリンク制御チャネルを送信するためのＤＬ領域に対応するＵＬ領域において、前記ダウンリンク制御チャネルに対応するアップリンク共有チャネルを受信することを特徴とする請求項２０または請求項２１に記載のデータ伝送のための装置。
【請求項２３】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬ領域であり、前記Ｔは、事前に定義されまたは構成されたものであり、または、
前記ダウンリンク制御チャネルの指示情報によりＤＬ領域に対応するＵＬ領域を示し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応することを特徴とする請求項２２に記載のデータ伝送のための装置。
【請求項２４】
構成シグナリングを受信するように構成される受信モジュールと、
前記構成シグナリングに従って１個の時間ユニットにおいて割り当てられたＤＬ領域を決定するように構成される、決定モジュールと
を備え、
前記１個の時間ユニットに少なくとも２個のＤＬ領域が含まれることを特徴とするデータ伝送のための装置。
【請求項２５】
前記決定モジュールは、前記構成シグナリングに従って、１個の時間ユニットにおいて割り当てられたＤＬ領域を決定する場合、
前記構成シグナリングにより、１個の時間ユニット内のＤＬ領域の長さ及び位置を決定し、または、
前記構成シグナリング通知複数の所定のパターンのうちの１つを決定し、各パターンに１個の時間ユニット内のＤＬ領域の長さ及び位置の割り当てが含まれ、または、
前記構成シグナリングにより、１個の時間ユニット内のＤＬ領域の開始位置または終了位置を決定し、
及び/または、
前記決定モジュールは、
構成シグナリングに従って、１個の時間ユニット内のＵＬ領域及び/またはＧＰ領域を決定し、
前記構成シグナリングにより、１個の時間ユニット内のＵＬ領域の長さ及び位置を通知し、または、
前記構成シグナリングにより、複数の所定のパターンのうちの１つを通知し、各パターンに１個の時間ユニット内のＵＬ領域の長さ及び位置の割り当てが含まれ、または、
前記構成シグナリングにより１個の時間ユニット内のＵＬ領域の開始または終了位置を通知し、または、
構成シグナリングにより通知された指示情報は、前記端末に、事前に定義した規則で前記指示情報に従って、１個の時間ユニット内のＵＬ領域を決定させるようにすることを特徴とする請求項２４に記載のデータ伝送のための装置。
【請求項２６】
前記決定モジュールは、
アップリンクスケジューリングシグナリングに従って、１個の時間ユニット内のＵＬ領域を決定し、またはダウンリンク伝送のＡＣＫ／ＮＡＣＫがフィードバックされる位置に従って、１個の時間ユニット内のＵＬ領域を決定することを特徴とする請求項２４に記載のデータ伝送のための装置。
【請求項２７】
前記検出モジュールは、１個の時間ユニット内の各ＤＬ領域または各検出ＤＬ領域において、ダウンリンク制御チャネルを検出することを特徴とする請求項２４ないし請求項２６のいずれか１項に記載のデータ伝送のための装置。
【請求項２８】
前記検出モジュールは、１個の時間ユニット内の各検出ＤＬ領域においてダウンリンク制御チャネルを検出する前に、
構成情報を受信し、前記構成情報に従い、１個の時間ユニット内の検出ＤＬ領域を決定し、または事前の定義に従って１個の時間ユニット内の検出ＤＬ領域を決定し、前記検出ＤＬ領域は、１個の時間ユニット内のすべてのＤＬ領域または一部のＤＬ領域であることを特徴とする請求項２７に記載のデータ伝送のための装置。
【請求項２９】
検出モジュールは、前記ダウンリンク制御チャネルが使用される場合、前記ダウンリンク制御チャネルを受信したＤＬ領域に対応するＵＬ領域において、前記ダウンリンク制御チャネル及び/または前記ダウンリンク制御チャネルに対応するダウンリンク共有チャネルのＡＣＫ／ＮＡＣＫフィードバックを送信し、または、
前記ダウンリンク制御チャネルにアップリンクＤＣＩフォーマットが使用される場合、前記ダウンリンク制御チャネルを受信したＤＬ領域に対応するＵＬ領域において、前記ダウンリンク制御チャネルに対応するアップリンク共有チャネルを送信することを特徴とする請求項２７または請求項２８に記載のデータ伝送のための装置。
【請求項３０】
以下のスキームのうちの１つまたは組み合わせでＤＬ領域に対応するＵＬ領域を決定し、
１個のＤＬ領域の終了位置の後に長さＴだけ離れた領域は、前記ＤＬ領域に対応するＵＬ領域であり、または１個のＤＬ領域の終了位置の後に長さＴだけ離れた１番目のＵＬ領域は、前記ＤＬ領域に対応するＵＬ領域であり、前記Ｔは、事前に定義されまたは構成されたものであり、または、
前記ダウンリンク制御チャネルの指示情報に従って、ＤＬ領域に対応するＵＬ領域を決定し、または、
１個の時間ユニット内のＤＬ領域の一部に対応するＵＬ領域を、現在の時間ユニット内のＵＬ領域として事前に定義または構成し、現在の時間ユニットに複数のＵＬ領域が含まれる場合、前記ＤＬ領域の一部に対応するＵＬ領域は、現在の時間ユニット内の１つ以上の定義または構成されたＵＬ領域であり、または、
１個の時間ユニット内のＤＬ領域の一部に対応するＵＬ領域を、次の時間ユニット内のＵＬ領域として事前に定義または構成し、次の時間ユニットに複数のＵＬ領域が含まれる場合、前記ＤＬ領域の一部に対応するＵＬ領域は、次の時間ユニット内の１つ以上の定義または構成されたＵＬ領域であり、または、
１個の時間ユニット内のＤＬ領域に対応するＵＬ領域を、現在の時間ユニット内のＵＬ領域として事前に定義または構成し、現在の時間ユニットに複数のＤＬ及びＵＬ領域が含まれる場合、それぞれのＤＬ領域は、１つ以上の定義または構成されたＵＬ領域に対応することを特徴とする請求項２９に記載のデータ伝送のための装置。
【国際調査報告】
2019533352.tif 000028
2019533352.tif 000029
2019533352.tif 000030
2019533352.tif 000031